(57)【特許請求の範囲】
【請求項１】
データ送信装置であって、
オーディオメタデータパケットを生成するパケット生成部と、
前記生成されたオーディオメタデータパケットをデータ受信装置に送信する送信部とを備え、
前記生成されたオーディオメタデータパケットは、前記オーディオメタデータパケットが表すオーディオデータと関連した画面分離情報フィールド（Ｓｐｌｉｔ  Ｓｃｒｅｅｎ  Ｉｎｆｏｒｍａｔｉｏｎ  Ｆｉｅｌｄ）を含み、
前記画面分離情報フィールドは、
画面分離のサポートの有無を示す画面分離有効フィールド（Ｓｐｌｉｔ  Ｓｃｒｅｅｎ  Ｖａｌｉｄ  Ｆｉｅｌｄ）及び送信されるオーディオデータに関連する分離画面種類を示す画面分離種類フィールド（Ｓｐｌｉｔ  Ｓｃｒｅｅｎ  Ｃｏｎｆｉｇｕｒａｔｉｏｎ  Ｆｉｅｌｄ）のうち少なくとも一方を含み、
前記画面分離種類フィールドは、ディスプレイ画面を水平方向に分離する第１分離モード、前記ディスプレイ画面を垂直方向に分離する第２分離モード、前記ディスプレイ画面内にＰＩＰ画面をディスプレイする第３分離モード、及び前記ディスプレイ画面を３つ以上に分離する第４分離モードのうち、いずれか１つを含むことを特徴とするデータ送信装置。
【請求項２】
前記生成されたオーディオメタデータパケットのヘッダ（ｈｅａｄｅｒ）は、
送信されるコンテンツがマルチビューコンテンツなのかシングルビューコンテンツなのかを表すビュー種類フィールド（Ｖｉｅｗ  Ｔｙｐｅ  Ｆｉｅｌｄ）、前記オーディオメタデータパケットのシーケンス番号を表すシーケンス番号フィールド（Ｓｅｑｕｅｎｃｅ  Ｎｕｍｂｅｒ  Ｆｉｅｌｄ）、及び送信されるオーディオストリームの個数情報を表すオーディオストリーム個数フィールド（Ｎｕｍｂｅｒ  Ｏｆ  Ａｕｄｉｏ  Ｓｔｒｅａｍ  Ｆｉｅｌｄ）のうち、少なくとも一つをさらに含むことを特徴とする請求項１に記載のデータ送信装置。
【請求項３】
前記生成されたオーディオメタデータパケットのペイロード（ｐａｙｌｏａｄ）は、
マルチオーディオサンプルパケット（Ｍｕｌｔｉ  Ａｕｄｉｏ  Ｓａｍｐｌｅ  Ｐａｃｋｅｔ）のサブパケットに対するメタデータを表すマルチオーディオデスクリプタフィールド（Ｍｕｌｔｉ  Ａｕｄｉｏ  Ｄｅｓｃｒｉｐｔｏｒ  Ｆｉｅｌｄ）を含むことを特徴とする請求項１に記載のデータ送信装置。
【請求項４】
前記マルチオーディオデスクリプタフィールドは、
前記生成されたオーディオメタデータパケットが表すオーディオデータに対応する分離された画面情報を表す画面分離タグフィールド（Ｓｐｌｉｔ  Ｓｃｒｅｅｎ  Ｔａｇ  Ｆｉｅｌｄ）、前記生成されたオーディオメタデータパケットが表すオーディオデータに対応するビューを表す関連ビュー識別フィールド（Ａｓｓｏｃｉａｔｅｄ  Ｖｉｅｗ  ＩＤ  Ｆｉｅｌｄ）、前記マルチオーディオデスクリプタフィールドが有効な言語コードを含むかどうかを表す有効言語コードフィールド（Ｖａｌｉｄ  Ｌａｎｇｕａｇｅ  Ｃｏｄｅ  Ｆｉｅｌｄ）、メインオーディオデータと補助オーディオデータとのプレミックス有無を表すミックスオーディオフィールド（ｍｉｘｅｄ  Ａｕｄｉｏ  Ｆｉｅｌｄ）、前記マルチオーディオデスクリプタフィールドが有効な補助オーディオデータの種類に対する情報を含むかどうかを表すＳＡＴプレゼントフィールド（ＳＡＴ  Ｐｒｅｓｅｎｔ  Ｆｉｅｌｄ）、前記生成されたオーディオメタデータパケットが表すオーディオデータのための補助オーディオデータ種類を表す補助オーディオ種類フィールド（Ｓｕｐｐｌｅｍｅｎｔａｌ  Ａｕｄｉｏ  Ｔｙｐｅ  Ｆｉｅｌｄ）、前記生成されたオーディオメタデータパケットが表すオーディオデータのＩＳＯ６３９で定義された言語コードを表す言語コードフィールド（Ｌａｎｇｕａｇｅ  Ｃｏｄｅ  Ｆｉｅｌｄ）のうち、少なくとも一つを含むことを特徴とする請求項３に記載のデータ送信装置。
【請求項５】
データ受信装置であって、
データ送信装置からオーディオメタデータパケットを受信する受信部と、
前記受信されたオーディオメタデータパケットをパーシングするパーシング部とを備え、
前記受信されたオーディオメタデータパケットは、前記受信されたオーディオメタデータパケットが表すオーディオデータと関連した画面分離情報フィールド（Ｓｐｌｉｔ  Ｓｃｒｅｅｎ  Ｉｎｆｏｒｍａｔｉｏｎ  Ｆｉｅｌｄ）を含み、
前記画面分離情報フィールドは、
画面分離のサポートの有無を示す画面分離有効フィールド（Ｓｐｌｉｔ  Ｓｃｒｅｅｎ  Ｖａｌｉｄ  Ｆｉｅｌｄ）及び送信されるオーディオデータに関連する分離画面種類を示す画面分離種類フィールド（Ｓｐｌｉｔ  Ｓｃｒｅｅｎ  Ｃｏｎｆｉｇｕｒａｔｉｏｎ  Ｆｉｅｌｄ）のうち少なくとも一方を含み、
前記画面分離種類フィールドは、ディスプレイ画面を水平方向に分離する第１分離モード、前記ディスプレイ画面を垂直方向に分離する第２分離モード、前記ディスプレイ画面内にＰＩＰ画面をディスプレイする第３分離モード、及び前記ディスプレイ画面を３つ以上に分離する第４分離モードのうち、いずれか１つを含むことを特徴とするデータ受信装置。
【請求項６】
データ送受信システムであって、
オーディオメタデータパケットを生成してデータ受信装置に送信するデータ送信装置と、
前記オーディオメタデータパケットを前記データ送信装置から受信する前記データ受信装置とを備え、
前記オーディオメタデータパケットは、前記オーディオメタデータパケットが表すオーディオデータと関連した画面分離情報フィールド（Ｓｐｌｉｔ  Ｓｃｒｅｅｎ  Ｉｎｆｏｒｍａｔｉｏｎ  Ｆｉｅｌｄ）を含み、
前記画面分離情報フィールドは、
画面分離のサポートの有無を示す画面分離有効フィールド（Ｓｐｌｉｔ  Ｓｃｒｅｅｎ  Ｖａｌｉｄ  Ｆｉｅｌｄ）及び送信されるオーディオデータに関連する分離画面種類を示す画面分離種類フィールド（Ｓｐｌｉｔ  Ｓｃｒｅｅｎ  Ｃｏｎｆｉｇｕｒａｔｉｏｎ  Ｆｉｅｌｄ）のうち少なくとも一方を含み、
前記画面分離種類フィールドは、ディスプレイ画面を水平方向に分離する第１分離モード、前記ディスプレイ画面を垂直方向に分離する第２分離モード、前記ディスプレイ画面内にＰＩＰ画面をディスプレイする第３分離モード、及び前記ディスプレイ画面を３つ以上に分離する第４分離モードのうち、いずれか１つを含むことを特徴とするデータ送受信システム。
【請求項７】
データ送信装置であって、
マルチオーディオストリームに対する複数のサブパケットを含むパケットを生成するパケット生成部と、
前記生成されたパケットをデータ受信装置に送信する送信部とを備え、
前記生成されたパケットは、全体パケットのうち、前記生成されたパケットの順序を識別するためのシーケンス番号フィールド（Ｓｅｑｕｅｎｃｅ  Ｎｕｍｂｅｒ  Ｆｉｅｌｄ）を含み、
前記生成されたパケットに含まれる画面分離情報フィールドは、
画面分離のサポートの有無を示す画面分離有効フィールド（Ｓｐｌｉｔ  Ｓｃｒｅｅｎ  Ｖａｌｉｄ  Ｆｉｅｌｄ）及び送信されるオーディオデータに関連する分離画面種類を示す画面分離種類フィールド（Ｓｐｌｉｔ  Ｓｃｒｅｅｎ  Ｃｏｎｆｉｇｕｒａｔｉｏｎ  Ｆｉｅｌｄ）のうち少なくとも一方を含み、
前記画面分離種類フィールドは、ディスプレイ画面を水平方向に分離する第１分離モード、前記ディスプレイ画面を垂直方向に分離する第２分離モード、前記ディスプレイ画面内にＰＩＰ画面をディスプレイする第３分離モード、及び前記ディスプレイ画面を３つ以上に分離する第４分離モードのうち、いずれか１つを含むことを特徴とするデータ送信装置。
【請求項８】
データ受信装置であって、
マルチオーディオストリームに対する複数のサブパケットを含むパケットを受信する受信部と、
前記受信されたパケットをパーシングするパーシング部とを備え、
前記受信されたパケットは、全体パケットのうち、前記受信されたパケットの順序を識別するためのシーケンス番号フィールド（Ｓｅｑｕｅｎｃｅ  Ｎｕｍｂｅｒ  Ｆｉｅｌｄ）を含み、
前記受信されたパケットに含まれる画面分離情報フィールドは、
画面分離のサポートの有無を示す画面分離有効フィールド（Ｓｐｌｉｔ  Ｓｃｒｅｅｎ  Ｖａｌｉｄ  Ｆｉｅｌｄ）及び送信されるオーディオデータに関連する分離画面種類を示す画面分離種類フィールド（Ｓｐｌｉｔ  Ｓｃｒｅｅｎ  Ｃｏｎｆｉｇｕｒａｔｉｏｎ  Ｆｉｅｌｄ）のうち少なくとも一方を含み、
前記画面分離種類フィールドは、ディスプレイ画面を水平方向に分離する第１分離モード、前記ディスプレイ画面を垂直方向に分離する第２分離モード、前記ディスプレイ画面内にＰＩＰ画面をディスプレイする第３分離モード、及び前記ディスプレイ画面を３つ以上に分離する第４分離モードのうち、いずれか１つを含むことを特徴とするデータ受信装置。
【請求項９】
データ送受信システムであって、
マルチオーディオストリームに対する複数のサブパケットを生成して、データ受信装置に送信するデータ送信装置と、
前記データ送信装置から前記複数のサブパケットを受信する前記データ受信装置とを備え、
前記受信されたパケットは、全体パケットのうち、前記受信されたパケットの順序を識別するためのシーケンス番号フィールド（Ｓｅｑｕｅｎｃｅ  Ｎｕｍｂｅｒ  Ｆｉｅｌｄ）を含み、
前記受信されたパケットに含まれる画面分離情報フィールドは、
画面分離のサポートの有無を示す画面分離有効フィールド（Ｓｐｌｉｔ  Ｓｃｒｅｅｎ  Ｖａｌｉｄ  Ｆｉｅｌｄ）及び送信されるオーディオデータに関連する分離画面種類を示す画面分離種類フィールド（Ｓｐｌｉｔ  Ｓｃｒｅｅｎ  Ｃｏｎｆｉｇｕｒａｔｉｏｎ  Ｆｉｅｌｄ）のうち少なくとも一方を含み、
前記画面分離種類フィールドは、ディスプレイ画面を水平方向に分離する第１分離モード、前記ディスプレイ画面を垂直方向に分離する第２分離モード、前記ディスプレイ画面内にＰＩＰ画面をディスプレイする第３分離モード、及び前記ディスプレイ画面を３つ以上に分離する第４分離モードのうち、いずれか１つを含むことを特徴とするデータ送受信システム。
【請求項１０】
データ送信装置であって、
オーディオデータに関してシンク装置により支援される特徴情報を含むデバイス性能情報ブロック（Ｄｅｖｉｃｅ  Ｃａｐａｂｉｌｉｔｙ  Ｉｎｆｏｒｍａｔｉｏｎ  Ｂｌｏｃｋ）を生成する生成部と、
データ受信装置に前記デバイス性能情報ブロックを送信する送信部とを備え、
前記デバイス性能情報ブロックは、前記シンク装置が画面分離と関連したマルチオーディオ受信及び処理を支援するかどうかを表す画面分離オーディオフィールド（Ｓｐｌｉｔ  Ｓｃｒｅｅｎ  Ａｕｄｉｏ  Ｆｉｅｌｄ）を含み、
前記デバイス性能情報ブロックに含まれる画面分離情報フィールドは、
画面分離のサポートの有無を示す画面分離有効フィールド（Ｓｐｌｉｔ  Ｓｃｒｅｅｎ  Ｖａｌｉｄ  Ｆｉｅｌｄ）及び送信されるオーディオデータに関連する分離画面種類を示す画面分離種類フィールド（Ｓｐｌｉｔ  Ｓｃｒｅｅｎ  Ｃｏｎｆｉｇｕｒａｔｉｏｎ  Ｆｉｅｌｄ）のうち少なくとも一方を含み、
前記画面分離種類フィールドは、ディスプレイ画面を水平方向に分離する第１分離モード、前記ディスプレイ画面を垂直方向に分離する第２分離モード、前記ディスプレイ画面内にＰＩＰ画面をディスプレイする第３分離モード、及び前記ディスプレイ画面を３つ以上に分離する第４分離モードのうち、いずれか１つを含むことを特徴とするデータ送信装置。
【請求項１１】
データ受信装置であって、
オーディオデータに関してシンク装置により支援される特徴情報を含むデバイス性能情報ブロック（Ｄｅｖｉｃｅ  Ｃａｐａｂｉｌｉｔｙ  Ｉｎｆｏｒｍａｔｉｏｎ  Ｂｌｏｃｋ）を受信する受信部と、
前記受信されたデバイス性能情報ブロックを分析する分析部とを備え、
前記受信されたデバイス性能情報ブロックは、前記シンク装置が画面分離と関連したマルチオーディオ受信及び処理を支援するかどうかを表す画面分離オーディオフィールド（Ｓｐｌｉｔ  Ｓｃｒｅｅｎ  Ａｕｄｉｏ  Ｆｉｅｌｄ）を含み、
前記デバイス性能情報ブロックに含まれる画面分離情報フィールドは、
画面分離のサポートの有無を示す画面分離有効フィールド（Ｓｐｌｉｔ  Ｓｃｒｅｅｎ  Ｖａｌｉｄ  Ｆｉｅｌｄ）及び送信されるオーディオデータに関連する分離画面種類を示す画面分離種類フィールド（Ｓｐｌｉｔ  Ｓｃｒｅｅｎ  Ｃｏｎｆｉｇｕｒａｔｉｏｎ  Ｆｉｅｌｄ）のうち少なくとも一方を含み、
前記画面分離種類フィールドは、ディスプレイ画面を水平方向に分離する第１分離モード、前記ディスプレイ画面を垂直方向に分離する第２分離モード、前記ディスプレイ画面内にＰＩＰ画面をディスプレイする第３分離モード、及び前記ディスプレイ画面を３つ以上に分離する第４分離モードのうち、いずれか１つを含むことを特徴とするデータ受信装置。
【請求項１２】
データ送受信システムであって、
オーディオデータに関してシンク装置により支援される特徴情報を含むデバイス性能情報ブロック（Ｄｅｖｉｃｅ  Ｃａｐａｂｉｌｉｔｙ  Ｉｎｆｏｒｍａｔｉｏｎ  Ｂｌｏｃｋ）をデータ受信装置に送信するデータ送信装置と、
前記データ送信装置から前記送信されたデバイス性能情報ブロックを受信するデータ受信装置とを備え、
前記デバイス性能情報ブロックは、前記シンク装置が画面分離と関連したマルチオーディオ受信及び処理を支援するかどうかを表す画面分離オーディオフィールド（Ｓｐｌｉｔ  Ｓｃｒｅｅｎ  Ａｕｄｉｏ  Ｆｉｅｌｄ）を備え、
前記デバイス性能情報ブロックに含まれる画面分離情報フィールドは、
画面分離のサポートの有無を示す画面分離有効フィールド（Ｓｐｌｉｔ  Ｓｃｒｅｅｎ  Ｖａｌｉｄ  Ｆｉｅｌｄ）及び送信されるオーディオデータに関連する分離画面種類を示す画面分離種類フィールド（Ｓｐｌｉｔ  Ｓｃｒｅｅｎ  Ｃｏｎｆｉｇｕｒａｔｉｏｎ  Ｆｉｅｌｄ）のうち少なくとも一方を含み、
前記画面分離種類フィールドは、ディスプレイ画面を水平方向に分離する第１分離モード、前記ディスプレイ画面を垂直方向に分離する第２分離モード、前記ディスプレイ画面内にＰＩＰ画面をディスプレイする第３分離モード、及び前記ディスプレイ画面を３つ以上に分離する第４分離モードのうち、いずれか１つを含むことを特徴とするデータ送受信システム。
【発明の詳細な説明】
【技術分野】
【０００１】
本発明は、データ送受信装置及び方法に関し、さらに詳細には、画面分離の支援に関する情報を送受信する、データ送信装置、データ受信装置、データ送受信システム、データ送信方法及びデータ受信方法に関する。
【背景技術】
【０００２】
最近、マルチメディア環境が駆逐されながら多様なデータ送信のための高速有線インタフェース規格が提案されている。例えば、ＨＤＭＩ（登録商標）、ＭＨＬは、多様なフォーマットの映像データ、オーディオデータ、制御データの送信規格を規定する。一つのディスプレイ装置を介して互いに異なる視聴者が各々互いに異なるコンテンツを視聴できるマルチビュー技術が登場しながら、マルチビュー映像に対応するマルチオーディオ送信規約の必要性が提起されている。
【０００３】
特に、複数のユーザが画面を分割して互いに異なるコンテンツを視聴する場合、ソース装置とシンク装置との間にどんなフォーマットで画面の分離がなされたのか、分離された画面の各々にマッチングされるオーディオ信号は、どんなものであるかに関して、情報を共有する必要がある。
【０００４】
そのため、ソース装置とシンク装置との間に画面分離に関する支援情報を送受信できる規格の必要性が提起される。
【発明の概要】
【発明が解決しようとする課題】
【０００５】
本発明の一つまたはそれ以上の実施の形態の目的は、ソース装置とシンク装置との間に画面分離に関する支援情報を送受信できるインタフェース規格を提供することにある。
【課題を解決するための手段】
【０００６】
上記の目的を達成すべく、本発明の一実施の形態にかかる、データ送信装置は、オーディオメタデータパケットを生成するように構成されたパケット生成部と、前記生成されたオーディオメタデータパケットをデータ受信装置に送信する送信部とを備える。特に、前記生成されたオーディオメタデータパケットのヘッダ（ｈｅａｄｅｒ）は、前記オーディオメタデータパケットが表すオーディオデータと関連した画面分離情報フィールド（Ｓｐｌｉｔ  Ｓｃｒｅｅｎ  Ｉｎｆｏｒｍａｔｉｏｎ  Ｆｉｅｌｄ）を含む。
【０００７】
前記画面分離情報フィールドは、画面分離支援有無を表す画面分離有効フィールド（Ｓｐｌｉｔ  Ｓｃｒｅｅｎ  Ｖａｌｉｄ  Ｆｉｅｌｄ）及び送信されるオーディオデータと関連した分離画面種類を表す分離画面種類フィールド（Ｓｐｌｉｔ  Ｓｃｒｅｅｎ  Ｔｙｐｅ  Ｆｉｅｌｄ）のうち、少なくとも一つを含むことができる。
【０００８】
前記分離画面種類フィールドは、ディスプレイ画面を水平方向に分離する第１分離モード、前記ディスプレイ画面を垂直方向に分離する第２分離モード、前記ディスプレイ画面内にＰＩＰ（Ｐｉｃｔｕｒｅ  ｉｎ  Ｐｉｃｔｕｒｅ）画面をディスプレイする第３分離モード、及び前記ディスプレイ画面を三個以上に分離する第４分離モードのうちの何れか一つを含むことができる。
【０００９】
前記生成されたオーディオメタデータパケットのヘッダ（ｈｅａｄｅｒ）は、
送信されるコンテンツがマルチビューコンテンツなのかシングルビューコンテンツなのかを表すビュー種類フィールド（Ｖｉｅｗ  Ｔｙｐｅ  Ｆｉｅｌｄ）、前記オーディオメタデータパケットのシーケンス番号を表すシーケンス番号フィールド（Ｓｅｑｕｅｎｃｅ  Ｎｕｍｂｅｒ  Ｆｉｅｌｄ）、及び送信されるオーディオストリームの個数情報を表すオーディオストリーム個数フィールド（Ｎｕｍｂｅｒ  Ｏｆ  Ａｕｄｉｏ  Ｓｔｒｅａｍ  Ｆｉｅｌｄ）のうち、少なくとも一つをさらに含むことができる。
【００１０】
前記生成されたオーディオメタデータパケットのペイロード（ｐａｙｌｏａｄ）は、マルチオーディオサンプルパケット（Ｍｕｌｔｉ  Ａｕｄｉｏ  Ｓａｍｐｌｅ  Ｐａｃｋｅｔ）のサブパケットに対するメタデータを表すマルチオーディオデスクリプタフィールド（Ｍｕｌｔｉ  Ａｕｄｉｏ  Ｄｅｓｃｒｉｐｔｏｒ  Ｆｉｅｌｄ）を含むことができる。
【００１１】
前記マルチオーディオデスクリプタフィールドは、前記生成されたオーディオメタデータパケットが表すオーディオデータに対応する分離された画面情報を表す画面分離タグフィールド（Ｓｐｌｉｔ  Ｓｃｒｅｅｎ  Ｔａｇ  Ｆｉｅｌｄ）、前記生成されたオーディオメタデータパケットが表すオーディオデータに対応するビューを表す関連ビュー識別フィールド（Ａｓｓｏｃｉａｔｅｄ  Ｖｉｅｗ  ＩＤ  Ｆｉｅｌｄ）、前記マルチオーディオデスクリプタフィールドが有効な言語コードを含むかどうかを表す有効言語コードフィールド（Ｖａｌｉｄ  Ｌａｎｇｕａｇｅ  Ｃｏｄｅ  Ｆｉｅｌｄ）、メインオーディオデータと補助オーディオデータとのプレミックス有無を表すミックスオーディオフィールド（ｍｉｘｅｄ  Ａｕｄｉｏ  Ｆｉｅｌｄ）、前記マルチオーディオデスクリプタフィールドが有効な補助オーディオデータの種類に対する情報を含むかどうかを表すＳＡＴプレゼントフィールド（ＳＡＴ  Ｐｒｅｓｅｎｔ  Ｆｉｅｌｄ）、前記生成されたオーディオメタデータパケットが表すオーディオデータのための補助オーディオデータ種類を表す補助オーディオ種類フィールド（Ｓｕｐｐｌｅｍｅｎｔａｌ  Ａｕｄｉｏ  Ｔｙｐｅ  Ｆｉｅｌｄ）、前記生成されたオーディオメタデータパケットが表すオーディオデータのＩＳＯ６３９で定義された言語コードを表す言語コードフィールド（Ｌａｎｇｕａｇｅ  Ｃｏｄｅ  Ｆｉｅｌｄ）のうち、少なくとも一つを含むことができる。
【００１２】
上記の目的を達成すべく、本発明の他の実施の形態にかかるデータ受信装置は、データ送信装置からオーディオメタデータパケットを受信する受信部と、前記受信されたオーディオメタデータパケットをパーシングするパーシング部とを備える。前記オーディオメタデータパケットのヘッダ（ｈｅａｄｅｒ）は、前記オーディオメタデータパケットが表すオーディオデータと関連した画面分離情報フィールド（Ｓｐｌｉｔ  Ｓｃｒｅｅｎ  Ｉｎｆｏｒｍａｔｉｏｎ  Ｆｉｅｌｄ）を含む。
【００１３】
受信部は、前記オーディオメタデータパケットをデータ送信装置から受信する。前記画面分離情報フィールドは、画面分離支援有無を表す画面分離有効フィールド（Ｓｐｌｉｔ  Ｓｃｒｅｅｎ  Ｖａｌｉｄ  Ｆｉｅｌｄ）及び送信されるオーディオデータと関連した分離画面種類を表す分離画面種類フィールド（Ｓｐｌｉｔ  Ｓｃｒｅｅｎ  Ｔｙｐｅ  Ｆｉｅｌｄ）のうち、少なくとも一つを含むことができる。
【００１４】
前記分離画面種類フィールドは、ディスプレイ画面を水平方向に分離する第１分離モード、前記ディスプレイ画面を垂直方向に分離する第２分離モード、前記ディスプレイ画面内にＰＩＰ画面をディスプレイする第３分離モード及び前記ディスプレイ画面を三個以上に分離する第４分離モードのうちの何れか一つを含むことができる。
【００１５】
前記オーディオメタデータパケットのヘッダ（ｈｅａｄｅｒ）は、受信されるコンテンツがマルチビューコンテンツなのかシングルビューコンテンツなのかを表すビュー種類フィールド（Ｖｉｅｗ  Ｔｙｐｅ  Ｆｉｅｌｄ）、前記オーディオメタデータパケットのシーケンス番号を表すシーケンス番号フィールド（Ｓｅｑｕｅｎｃｅ  Ｎｕｍｂｅｒ  Ｆｉｅｌｄ）、及び受信されるオーディオストリームの個数情報を表すオーディオストリーム個数フィールド（Ｎｕｍｂｅｒ  Ｏｆ  Ａｕｄｉｏ  Ｓｔｒｅａｍ  Ｆｉｅｌｄ）のうち、少なくとも一つをさらに含むことができる。
【００１６】
前記受信されたオーディオメタデータパケットのペイロード（ｐａｙｌｏａｄ）は、マルチオーディオサンプルパケット（Ｍｕｌｔｉ  Ａｕｄｉｏ  Ｓａｍｐｌｅ  Ｐａｃｋｅｔ）のサブパケットに対するメタデータを表すマルチオーディオデスクリプタフィールド（Ｍｕｌｔｉ  Ａｕｄｉｏ  Ｄｅｓｃｒｉｐｔｏｒ  Ｆｉｅｌｄ）を含むことができる。
【００１７】
前記マルチオーディオデスクリプタフィールドは、前記オーディオメタデータパケットが表すオーディオデータに対応する分離された画面情報を表す画面分離タグフィールド（Ｓｐｌｉｔ  Ｓｃｒｅｅｎ  Ｔａｇ  Ｆｉｅｌｄ）、前記オーディオメタデータパケットが表すオーディオデータに対応するビューを表す関連ビュー識別フィールド（Ａｓｓｏｃｉａｔｅｄ  Ｖｉｅｗ  ＩＤ  Ｆｉｅｌｄ）、前記マルチオーディオデスクリプタフィールドが有効な言語コードを含むかどうかを表す有効言語コードフィールド（ＶａｌｉｄＬａｎｇｕａｇｅ  Ｃｏｄｅ  Ｆｉｅｌｄ）、メインオーディオデータと補助オーディオデータとのプレミックス有無を表すミックスオーディオフィールド（ｍｉｘｅｄ  Ａｕｄｉｏ  Ｆｉｅｌｄ）、前記マルチオーディオデスクリプタフィールドが有効な補助オーディオデータの種類に対する情報を含むかどうかを表すＳＡＴプレゼントフィールド（ＳＡＴ  Ｐｒｅｓｅｎｔ  Ｆｉｅｌｄ）、前記オーディオメタデータパケットが表すオーディオデータのための補助オーディオデータ種類を表す補助オーディオ種類フィールド（Ｓｕｐｐｌｅｍｅｎｔａｌ  Ａｕｄｉｏ  Ｔｙｐｅ  Ｆｉｅｌｄ）、前記オーディオメタデータパケットが表すオーディオデータのＩＳＯ６３９で定義された言語コードを表す言語コードフィールド（Ｌａｎｇｕａｇｅ  Ｃｏｄｅ  Ｆｉｅｌｄ）のうち、少なくとも一つを含むことができる。
【００１８】
上記の目的を達成すべく、本発明のさらに他の実施の形態にかかるデータ送受信システムは、オーディオデータに関してシンク装置により支援される特徴情報を含むデバイス性能情報ブロック（Ｄｅｖｉｃｅ  Ｃａｐａｂｉｌｉｔｙ  Ｉｎｆｏｒｍａｔｉｏｎ  Ｂｌｏｃｋ）を前記データ受信装置に送信するように構成されたデータ送信装置と前記データ送信装置から前記オーディオメタデータパケットを受信するように構成されたデータ受信装置を含む。前記オーディオメタデータパケットのヘッダ（ｈｅａｄｅｒ）は、前記オーディオメタデータパケットが表すオーディオデータと関連した画面分離情報フィールド（Ｓｐｌｉｔ  Ｓｃｒｅｅｎ  Ｉｎｆｏｒｍａｔｉｏｎ  Ｆｉｅｌｄ）を含む。
【００１９】
上記の目的を達成すべく、本発明の他の実施の形態にかかるデータ送信方法は、オーディオメタデータパケットを生成するステップと、前記生成されたオーディオメタデータパケットをデータ受信装置に送信するステップとを含む。このとき、前記生成されたオーディオメタデータパケットのヘッダ（ｈｅａｄｅｒ）は、前記オーディオメタデータパケットが表すオーディオデータと関連した画面分離情報フィールド（Ｓｐｌｉｔ  Ｓｃｒｅｅｎ  Ｉｎｆｏｒｍａｔｉｏｎ  Ｆｉｅｌｄ）を含む。
【００２０】
前記画面分離情報フィールドは、画面分離支援有無を表す画面分離有効フィールド（Ｓｐｌｉｔ  Ｓｃｒｅｅｎ  Ｖａｌｉｄ  Ｆｉｅｌｄ）及び送信されるオーディオデータと関連した分離画面種類を表す分離画面種類フィールド（Ｓｐｌｉｔ  Ｓｃｒｅｅｎ  Ｔｙｐｅ  Ｆｉｅｌｄ）のうち、少なくとも一つを含むことができる。
【００２１】
前記分離画面種類フィールドは、ディスプレイ画面を水平方向に分離する第１分離モード、前記ディスプレイ画面を垂直方向に分離する第２分離モード、前記ディスプレイ画面内にＰＩＰ画面をディスプレイする第３分離モード及び前記ディスプレイ画面を三個以上に分離する第４分離モードのうちの何れか一つを含むことができる。
【００２２】
前記生成されたオーディオメタデータパケットのヘッダ（ｈｅａｄｅｒ）は、送信されるコンテンツがマルチビューコンテンツなのかシングルビューコンテンツなのかを表すビュー種類フィールド（Ｖｉｅｗ  Ｔｙｐｅ  Ｆｉｅｌｄ）、前記オーディオメタデータパケットのシーケンス番号を表すシーケンス番号フィールド（Ｓｅｑｕｅｎｃｅ  Ｎｕｍｂｅｒ  Ｆｉｅｌｄ）、及び送信されるオーディオストリームの個数情報を表すオーディオストリーム個数フィールド（Ｎｕｍｂｅｒ  Ｏｆ  Ａｕｄｉｏ  Ｓｔｒｅａｍ  Ｆｉｅｌｄ）のうち、少なくとも一つをさらに含むことができる。
【００２３】
前記生成されたオーディオメタデータパケットのペイロード（ｐａｙｌｏａｄ）は、マルチオーディオサンプルパケット（Ｍｕｌｔｉ  Ａｕｄｉｏ  Ｓａｍｐｌｅ  Ｐａｃｋｅｔ）のサブパケットに対するメタデータを表すマルチオーディオデスクリプタフィールド（Ｍｕｌｔｉ  Ａｕｄｉｏ  Ｄｅｓｃｒｉｐｔｏｒ  Ｆｉｅｌｄ）を含むことができる。
【００２４】
前記マルチオーディオデスクリプタフィールドは、前記生成されたオーディオメタデータパケットが表すオーディオデータに対応する分離された画面情報を表す画面分離タグフィールド（Ｓｐｌｉｔ  Ｓｃｒｅｅｎ  Ｔａｇ  Ｆｉｅｌｄ）、前記生成されたオーディオメタデータパケットが表すオーディオデータに対応するビューを表す関連ビュー識別フィールド（Ａｓｓｏｃｉａｔｅｄ  Ｖｉｅｗ  ＩＤ  Ｆｉｅｌｄ）、前記マルチオーディオデスクリプタフィールドが有効な言語コードを含むかどうかを表す有効言語コードフィールド（Ｖａｌｉｄ  Ｌａｎｇｕａｇｅ  Ｃｏｄｅ  Ｆｉｅｌｄ）、メインオーディオデータと補助オーディオデータとのプレミックス有無を表すミックスオーディオフィールド（ｍｉｘｅｄ  Ａｕｄｉｏ  Ｆｉｅｌｄ）、前記マルチオーディオデスクリプタフィールドが有効な補助オーディオデータの種類に対する情報を含むかどうかを表すＳＡＴプレゼントフィールド（ＳＡＴ  Ｐｒｅｓｅｎｔ  Ｆｉｅｌｄ）、前記生成されたオーディオメタデータパケットが表すオーディオデータのための補助オーディオデータ種類を表す補助オーディオ種類フィールド（Ｓｕｐｐｌｅｍｅｎｔａｌ  Ａｕｄｉｏ  Ｔｙｐｅ  Ｆｉｅｌｄ）、前記生成されたオーディオメタデータパケットが表すオーディオデータのＩＳＯ６３９で定義された言語コードを表す言語コードフィールド（Ｌａｎｇｕａｇｅ  Ｃｏｄｅ  Ｆｉｅｌｄ）のうち、少なくとも一つを含むことができる。
【００２５】
上記の目的を達成すべく、本発明の他の実施の形態にかかるデータ受信方法は、データ送信装置からオーディオメタデータパケットを受信するステップと、前記受信されたオーディオメタデータパケットをパーシングするステップとを含み、前記受信されたオーディオメタデータパケットのヘッダ（ｈｅａｄｅｒ）は、前記オーディオメタデータパケットが表すオーディオデータと関連した画面分離情報フィールド（Ｓｐｌｉｔ  Ｓｃｒｅｅｎ  Ｉｎｆｏｒｍａｔｉｏｎ  Ｆｉｅｌｄ）を含む。
【００２６】
前記画面分離情報フィールドは、画面分離支援有無を表す画面分離有効フィールド（Ｓｐｌｉｔ  Ｓｃｒｅｅｎ  Ｖａｌｉｄ  Ｆｉｅｌｄ）及び送信されるオーディオデータと関連した分離画面種類を表す分離画面種類フィールド（Ｓｐｌｉｔ  Ｓｃｒｅｅｎ  Ｔｙｐｅ  Ｆｉｅｌｄ）のうち、少なくとも一つを含むことができる。
【００２７】
前記分離画面情報フィールドは、ディスプレイ画面を水平方向に分離する第１分離モード、前記ディスプレイ画面を垂直方向に分離する第２分離モード、前記ディスプレイ画面内にＰＩＰ画面をディスプレイする第３分離モード及び前記ディスプレイ画面を三個以上に分離する第４分離モードのうちの何れか一つを含むことができる。
【００２８】
前記生成されたオーディオメタデータパケットのヘッダ（ｈｅａｄｅｒ）は、送信されるコンテンツがマルチビューコンテンツなのかシングルビューコンテンツなのかを表すビュー種類フィールド（Ｖｉｅｗ  Ｔｙｐｅ  Ｆｉｅｌｄ）、前記オーディオメタデータパケットのシーケンス番号を表すシーケンス番号フィールド（Ｓｅｑｕｅｎｃｅ  Ｎｕｍｂｅｒ  Ｆｉｅｌｄ）、及び送信されるオーディオストリームの個数情報を表すオーディオストリーム個数フィールド（Ｎｕｍｂｅｒ  Ｏｆ  Ａｕｄｉｏ  Ｓｔｒｅａｍ  Ｆｉｅｌｄ）のうち、少なくとも一つをさらに含むことができる。
【００２９】
前記生成されたオーディオメタデータパケットのペイロード（ｐａｙｌｏａｄ）は、マルチオーディオサンプルパケット（Ｍｕｌｔｉ  Ａｕｄｉｏ  Ｓａｍｐｌｅ  Ｐａｃｋｅｔ）のサブパケットに対するメタデータを表すマルチオーディオデスクリプタフィールド（Ｍｕｌｔｉ  Ａｕｄｉｏ  Ｄｅｓｃｒｉｐｔｏｒ  Ｆｉｅｌｄ）を含むことができる。
【００３０】
マルチオーディオデスクリプタ（Ｍｕｌｔｉ  Ａｕｄｉｏ  Ｄｅｓｃｒｉｐｔｏｒ）は、前記受信されたオーディオメタデータパケットが表すオーディオデータに対応する分離された画面情報を表す画面分離タグフィールド（Ｓｐｌｉｔ  Ｓｃｒｅｅｎ  Ｔａｇ  Ｆｉｅｌｄ）、前記受信されたオーディオメタデータパケットが表すオーディオデータに対応するビューを表す関連ビュー識別フィールド（Ａｓｓｏｃｉａｔｅｄ  Ｖｉｅｗ  ＩＤ  Ｆｉｅｌｄ）、前記マルチオーディオデスクリプタフィールドが有効な言語コードを含むかどうかを表す有効言語コードフィールド（Ｖａｌｉｄ  Ｌａｎｇｕａｇｅ  Ｃｏｄｅ  Ｆｉｅｌｄ）、メインオーディオデータと補助オーディオデータとのプレミックス有無を表すミックスオーディオフィールド（Ｍｉｘｅｄ  Ａｕｄｉｏ  Ｆｉｅｌｄ）、前記マルチオーディオデスクリプタフィールドが有効な補助オーディオデータの種類に対する情報を含むかどうかを表すＳＡＴプレゼントフィールド（ＳＡＴ  Ｐｒｅｓｅｎｔ  Ｆｉｅｌｄ）、前記生成されたオーディオメタデータパケットが表すオーディオデータのＩＳＯ６３９で定義された言語コードを表す言語コードフィールド（Ｌａｎｇｕａｇｅ  Ｃｏｄｅ  Ｆｉｅｌｄ）のうち、少なくとも一つを含むことができる。
【００３１】
上記の目的を達成すべく、本発明の他の実施の形態にかかる、データ送信装置は、マルチオーディオストリームに対する複数のサブパケットを含むパケットを生成するように構成されたパケット生成部と、前記生成されたパケットを受信装置に送信する送信部とを備える。前記生成されたパケットのヘッダは、複数のパケットのうち、前記生成されたパケットの順序を識別するためのシーケンス番号フィールド（Ｓｅｑｕｅｎｃｅ  Ｎｕｍｂｅｒ  Ｆｉｅｌｄ）を含む。
【００３２】
上記の目的を達成すべく、本発明の他の実施の形態にかかる、データ受信装置は、マルチオーディオストリームに対する複数のサブパケットを含むパケットを受信する構成を有する受信部と、前記受信されたパケットをパーシングするパーシング部とを備える。前記受信されたパケットのヘッダは、複数のパケットのうち、前記生成されたパケットの順序を識別するためのシーケンス番号フィールド（Ｓｅｑｕｅｎｃｅ  Ｎｕｍｂｅｒ  Ｆｉｅｌｄ）を含む。
【００３３】
上記の目的を達成すべく、本発明の他の実施の形態にかかるデータ送受信システムは、マルチオーディオストリームに対する複数のサブパケットを含むパケットを生成してデータ受信装置に送信するデータ送信装置と、前記データ送信装置から複数のサブパケットを含む前記パケットを受信するデータ受信装置とを備える。前記受信されたパケットのヘッダ（ｈｅａｄｅｒ）は、複数のパケットのうち、前記生成されたパケットの順序を識別するためのシーケンス番号フィールド（Ｓｅｑｕｅｎｃｅ  Ｎｕｍｂｅｒ  Ｆｉｅｌｄ）を含む。
【００３４】
上記の目的を達成すべく、本発明の他の実施の形態にかかるデータ送信方法は、マルチオーディオストリームに対する複数のサブパケットを含むパケットを生成するステップと、前記生成されたパケットをデータ受信装置に送信するステップとを含み、前記生成されたパケットのヘッダは、全体パケットのうち、前記生成されたパケットの順序を識別するためのシーケンス番号フィールド（Ｓｅｑｕｅｎｃｅ  Ｎｕｍｂｅｒ  Ｆｉｅｌｄ）を含む。
【００３５】
上記の目的を達成すべく、本発明の他の実施の形態にかかるデータ受信方法は、マルチオーディオストリームに対する複数のサブパケットを含むパケットを受信するステップと、前記受信されたパケットをパーシングするステップとを含み、前記受信されたパケットのヘッダは、全体パケットのうち、前記生成されたパケットの順序を識別するためのシーケンス番号フィールド（Ｓｅｑｕｅｎｃｅ  Ｎｕｍｂｅｒ  Ｆｉｅｌｄ）を含む。
【００３６】
上記の目的を達成すべく、本発明のさらに他の実施の形態にかかるデータ送信方法は、オーディオデータに関してシンク装置により支援される特徴情報を含むデバイス性能情報ブロック（Ｄｅｖｉｃｅ  Ｃａｐａｂｉｌｉｔｙ  Ｉｎｆｏｒｍａｔｉｏｎ  Ｂｌｏｃｋ）を生成するステップと、データ受信装置に前記デバイス性能情報ブロックを送信するステップとを含み、前記デバイス性能情報ブロックは、前記シンク装置が画面分離と関連したマルチオーディオ受信及び処理を支援するかを表す画面分離オーディオフィールド（Ｓｐｌｉｔ  Ｓｃｒｅｅｎ  Ａｕｄｉｏ  Ｆｉｅｌｄ）を含む。
【００３７】
上記の目的を達成すべく、本発明のさらに他の実施の形態にかかるデータ受信装置は、オーディオデータに関してシンク装置により支援される特徴情報を含むデバイス性能情報ブロック（Ｄｅｖｉｃｅ  Ｃａｐａｂｉｌｉｔｙ  Ｉｎｆｏｒｍａｔｉｏｎ  Ｂｌｏｃｋ）を受信するように構成された受信部と、前記受信されたデバイス性能情報ブロックを分析する分析部とを備える。前記デバイス性能情報ブロックは、前記シンク装置が画面分離と関連したマルチオーディオ受信及び処理を支援するかを表す画面分離オーディオフィールド（Ｓｐｌｉｔ  Ｓｃｒｅｅｎ  Ａｕｄｉｏ  Ｆｉｅｌｄ）を含む。
【００３８】
上記の目的を達成すべく、本発明のさらに他の実施の形態にかかるデータ送受信システムは、オーディオデータに関してシンク装置により支援される特徴情報を含むデバイス性能情報ブロック（Ｄｅｖｉｃｅ  Ｃａｐａｂｉｌｉｔｙ  Ｉｎｆｏｒｍａｔｉｏｎ  Ｂｌｏｃｋ）をデータ受信装置に送信するデータ送信装置と、前記データ送信装置から前記デバイス性能情報ブロックを受信するデータ受信装置とを備える。前記デバイス性能情報ブロックは、前記シンク装置が画面分離と関連してマルチオーディオの受信及び処理の支援有無を指示する画面分離オーディオフィールドを含む。
【００３９】
上記の目的を達成すべく、本発明のさらに他の実施の形態にかかるデータ送信方法は、オーディオデータに関してシンク装置により支援される特徴情報を含むデバイス性能情報ブロック（Ｄｅｖｉｃｅ  Ｃａｐａｂｉｌｉｔｙ  Ｉｎｆｏｒｍａｔｉｏｎ  Ｂｌｏｃｋ）を生成するステップと、前記受信されたデバイス性能情報ブロックをデータ受信装置に送信するステップとを含み、前記デバイス性能情報ブロックは、前記シンク装置が画面分離と関連したマルチオーディオ受信及び処理を支援するかを表す画面分離オーディオフィールド（Ｓｐｌｉｔ  Ｓｃｒｅｅｎ  Ａｕｄｉｏ  Ｆｉｅｌｄ）を含む。
【００４０】
上記の目的を達成すべく、本発明のさらに他の実施の形態にかかるデータ受信方法は、オーディオデータに関してシンク装置により支援される特徴情報を含むデバイス性能情報ブロック（Ｄｅｖｉｃｅ  Ｃａｐａｂｉｌｉｔｙ  Ｉｎｆｏｒｍａｔｉｏｎ  Ｂｌｏｃｋ）を受信するステップと、前記受信されたデバイス性能情報ブロックを分析するステップとを含み、前記デバイス性能情報ブロックは、前記シンク装置が画面分離と関連したマルチオーディオ受信及び処理を支援するかを表す画面分離オーディオフィールド（Ｓｐｌｉｔ  Ｓｃｒｅｅｎ  Ａｕｄｉｏ  Ｆｉｅｌｄ）を含む。
【００４１】
上記の目的を達成すべく、本発明のさらに他の実施の形態にかかるデータ受信装置は、前記パケットに対応するオーディオデータと関連した画面分離情報フィールド（Ｓｐｌｉｔ  Ｓｃｒｅｅｎ  Ｉｎｆｏｒｍａｔｉｏｎ  Ｆｉｅｌｄ）を含むパケットを受信する受信部、及び前記受信されたパケットをパーシングするパーシング部を備える。
【発明の効果】
【００４２】
以上のような本発明の実施の形態によれば、本発明は、ソース装置とシンク装置との間に画面分離に関する支援情報を送受信できるインタフェース規格を提供する。
【図面の簡単な説明】
【００４３】
前記及び／または他の特徴は、添付された図面を参照して実施の形態を説明することによって、さらに明確になるはずである。
【図１Ａ】シングルオーディオストリームとマルチオーディオストリームを示す図である。
【図１Ｂ】シングルオーディオストリームとマルチオーディオストリームを示す図である。
【図２Ａ】ソース装置がシンク装置にデュアルウィンドウ及び画面分離に対するマルチオーディオを送信する示す図である。
【図２Ｂ】ソース装置がシンク装置にデュアルウィンドウ及び画面分離に対するマルチオーディオを送信する示す図である。
【図２Ｃ】ソース装置がシンク装置にデュアルウィンドウ及び画面分離に対するマルチオーディオを送信する示す図である。
【図３】本発明の一実施の形態にかかる画面分離支援情報を表示するためのシンク装置とソース装置との間のデータ送受信を概括的に示した図である。
【図４】本発明の一実施の形態にかかるマルチオーディオサンプルパケットのペイロードが送信される状況を示す図である。
【図５】本発明の一実施の形態にかかるデータ送受信システムのブロック図である。
【図６】本発明の一実施の形態にかかるデータ送信装置のブロック図を示す図である。
【図７】本発明の一実施の形態にかかるデータ受信装置のブロック図を示す図である。
【図８】本発明の他の実施の形態にかかるデータ送受信システムのブロック図である。
【図８Ａ】本発明の一実施の形態にかかるオーディオストリームと関連した画面分離モードを示す図である。
【図８Ｂ】本発明の一実施の形態にかかるオーディオストリームと関連した画面分離モードを示す図である。
【図８Ｃ】本発明の一実施の形態にかかるオーディオストリームと関連した画面分離モードを示す図である。
【図９】本発明の他の実施の形態にかかるデータ送受信システムのブロック図である。
【図１０】本発明の他の実施の形態にかかるデータ送信装置のブロック図である。
【図１１】本発明のさらに他の実施の形態にかかるデータ受信装置のブロック図である。
【図１２】３Ｄオーディオ信号の送信タイミングを示す図である。
【図１３】３Ｄオーディオ信号の送信タイミングを示す図である。
【図１４】本発明のさらに他の実施の形態にかかるデータ送受信システムのブロック図である。
【図１５】本発明のさらに他の実施の形態にかかるデータ送信装置の構成を示すブロック図である。
【図１６】本発明のさらに他の実施の形態にかかるデータ受信装置の構成を示すブロック図である。
【図１７】本発明の一実施の形態にかかるマルチストリームオーディオサンプルパケットのシナリオを示す図である。
【図１８Ａ】本発明の一またはさらに多くの実施の形態にかかるクアッドビュービデオコンテンツを３Ｄインターレース（ｉｎｔｅｒｌａｃｅ）フォーマットで送信する場合、多様なデータ送信フォーマットを示す図である。
【図１８Ｂ】本発明の一またはさらに多くの実施の形態にかかるクアッドビュービデオコンテンツを３Ｄインターレース（ｉｎｔｅｒｌａｃｅ）フォーマットで送信する場合、多様なデータ送信フォーマットを示す図である。
【図１８Ｃ】本発明の一またはさらに多くの実施の形態にかかるクアッドビュービデオコンテンツを３Ｄインターレース（ｉｎｔｅｒｌａｃｅ）フォーマットで送信する場合、多様なデータ送信フォーマットを示す図である。
【図１９】本発明の一実施の形態にかかるデータ送信方法のフローチャートである。
【図２０】本発明の一実施の形態にかかるデータ受信方法のフローチャートである。
【図２１】本発明の他の実施の形態にかかるデータ送信方法のフローチャートである。
【図２２】本発明の他の実施の形態にかかるデータ受信方法のフローチャートである。
【図２３】本発明のさらに他の実施の形態にかかるデータ送信方法のフローチャートである。
【図２４】本発明のさらに他の実施の形態にかかるデータ受信方法のフローチャートである。
【発明を実施するための形態】
【００４４】
本発明の理解のために関連した十分な詳細説明を示す図において、前記動作方法及びシステム構成成分は、基本的な記号で示された。また、本発明が属する技術分野における通常の知識を有した者にとって、明白な説明は省略されることができる。本明細書において、例えば、第１、第２、及びそのような説明的用語は、このような要素間のいかなる実際的関係または順序を暗示せず、他の要素から一つの要素を区別するのに使用されることができる。以下では、要素のリストを羅列する際、「少なくとも一つの」などのような表現は、要素の全体リストを修正しリストの個別要素を修正しないことと理解される。
【００４５】
本発明は、本発明の技術的思想と均等な範囲においてＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）、ＭＨＬ（Ｍｏｂｉｌｅ  Ｈｉｇｈ−Ｄｅｆｉｎｉｔｉｏｎ  Ｌｉｎｋ）規格のような多様な有線インタフェース送信規格に適用されうるので、本発明の権利範囲は、これと類似の有線インタフェース送信規格までに及ぼす。
【００４６】
本明細書は、下記の文献を参照する。
【００４７】
ＩＴＵ−Ｒ  ＢＳ．２１５９−４（０５／２０１２）、家庭内の多チャンネルサウンド技術と放送アプリケーション（Ｍｕｌｔｉｃｈａｎｎｅｌ  ｓｏｕｎｄ  ｔｅｃｈｎｏｌｏｇｙ  ｉｎ  ｈｏｍｅ  ａｎｄ  ｂｒｏａｄｃａｓｔｉｎｇ  ａｐｐｌｉｃａｔｉｏｎｓ）
ＳＭＰＴＥ，ＳＭＰＴＥ  ２０３６−２：２００８、「ＵＨＤＴＶ−音声特徴とプログラム製作のための音声チャネルマッピング（ＵＨＤＴＶ−Ａｕｄｉｏ  ｃｈａｒａｃｔｅｒｉｓｔｉｃｓ  ａｎｄ  ａｕｄｉｏ  ｃｈａｎｎｅｌ  ｍａｐｐｉｎｇ  ｆｏｒ  ｐｒｏｇｒａｍ  ｐｒｏｄｕｃｔｉｏｎ）」、２００８
ＩＥＣ，ＩＥＣ  ６２５７４  ｅｄ  １．０、「音声、ビデオそしてマルチメディアシステム−多チャンネル音声の一般的チャネル割り当て（Ａｕｄｉｏ，ｖｉｄｅｏ  ａｎｄ  ｍｕｌｔｉｍｅｄｉａ  ｓｙｓｔｅｍｓ−Ｇｅｎｅｒａｌ  ｃｈａｎｎｅｌ  ａｓｓｉｇｎｍｅｎｔ  ｏｆ  ｍｕｌｔｉｃｈａｎｎｅｌ  ａｕｄｉｏ）」、２０１１年４月７日
【００４８】
表１は、本明細書において使用する用語を簡略に説明している。
【表１】
0006514648.tif 000002
0006514648.tif 000003
【００４９】
図１Ａ及び図１Ｂは、シングルオーディオストリームとマルチオーディオストリームを示す図である。
【００５０】
図１（Ａ）に示すように、シングルオーディオストリームは、少なくとも一つのビデオデータに対して複数のオーディオデータが存在し、これらのオーディオデータが一つのシングルストリームに送信される場合である。シングルストリームでは、すべてのストリームデータが同じパケットストリームＩＤを共有するようにパケット化される。
【００５１】
図１（Ｂ）に示すように、マルチオーディオストリームは、多数のシングルＡＶストリームが送信される場合である。マルチオーディオストリームでは、唯一のパケットストリームＩＤが各シングルＡＶストリームに割り当てられる多数のシングル−ＡＶストリーム集合が存在する。多数のシングルＡＶストリームのビデオデータは、互いに独立的である。
【００５２】
マルチオーディオストリームの各オーディオストリームは、最大２個のオーディオチャネルを送信し、シングルオーディオストリームと関連する。例えば、シングルビューモードにおいて、各オーディオは、デフォルトビデオストリームに接続され、デュアルビューモードにおいてオーディオは、左側のイメージや右側のイメージ（または両方とも）に接続されることができる。また、次のような一つ以上の補助オーディオオプションを送信できる。すなわち、画面分離タギング（Ｓｐｌｉｔ−ｓｃｒｅｅｎ  ｔａｇｇｉｎｇ）、言語表示（Ｌａｎｇｕａｇｅ  ｉｎｄｉｃａｔｉｏｎ）、視覚／聴覚障害者のためのオーディオ表示（ｉｎｄｉｃａｔｉｏｎ  ｏｆ  ａｕｄｉｏ  ｆｏｒ  ｖｉｓｕａｌｌｙ／ｈｅａｒｉｎｇ  ｉｍｐａｉｒｅｄ）がそれである。
【００５３】
画面分離（Ｓｐｌｉｔ  Ｓｃｒｅｅｎ）とは、二つ以上のウィンドウに対してソース装置により互いに異なるオーディオデータがタギングされ識別される視聴オプション（ｖｉｅｗｉｎｇ  ｏｐｔｉｏｎ）を意味する。画面分離は、ＰＩＰ視聴方式（ｐｉｃｔｕｒｅ−ｉｎ−ｐｕｃｔｕｒｅ  ｖｉｅｗｉｎｇ）、クイックプレビュー視聴方式（ｑｕｉｃｋ−ｐｒｅｖｉｅｗ）、マルチスクリーンゲーム（ｍｕｌｔｉ−ｓｃｒｅｅｎ  ｇａｍｅ）などで使用される。ここで、ウィンドウとは、シンク装置のスクリーンの一領域上にディスプレイされる区別されるディスプレイイメージを意味する。
【００５４】
画面分離（またはマルチウィンドウ）は、マルチオーディオと共に使用される選択的な構成になることができる。画面分離モードは、シンク装置で画面が分離される構成を示し、オーディオストリームをタギングし、特定のウィンドウ窓にマッピングする。
【００５５】
図２Ａ、図２Ｂ、及び図２Ｃは、本発明の一つ以上の実施の形態にかかるソース装置がシンク装置にデュアルウィンドウ及び画面分離に対するマルチオーディオを送信することを示す図である。
【００５６】
図２Ａは、マルチスクリーンに各々に対するオーディオデータを送信する実施の形態であり、図２Ｂは、クイックプレビュー視聴やＰＩＰ（ｐｉｃｔｕｒｅ−ｉｎ−ｐｉｃｔｕｒｅ）視聴に伴う複数のオーディオデータを送信する実施の形態であり、図２Ｃは、マルチスクリーンゲームに伴う複数のオーディオデータを送信する実施の形態を示す。シンク装置のユーザは、所望のオーディオを選択して聴取できる。
【００５７】
本発明の一実施の形態にかかる図３は、前記画面分離支援情報を表示するためのシンク装置３２０とソース装置３１０とのデータ送受信を概括的に示した図である。
【００５８】
図３に示すように、ソース装置３１０は、ベンダー−特定インフォフレーム（Ｖｅｎｄｏｒ−Ｓｐｅｃｉｆｉｃ  Ｉｎｆｏｆｒａｍｅ）、マルチオーディオサンプルパケット（Ｍｕｌｔｉ−Ａｕｄｉｏ  Ｓａｍｐｌｅ  Ｐａｃｋｅｔ）、マルチオーディオメタデータパケット（Ｍｕｌｔｉ−Ａｕｄｉｏ  Ｍｅｔａｄａｔａ  Ｐａｃｋｅｔ）をシンク装置３２０に送信する。
【００５９】
マルチオーディオサンプルパケットは、複数のオーディオストリームを含む。マルチオーディオメタデータパケットは、各オーディオストリームに対する一つ以上の設定を含む。これは、ビデオストリームと関連し、補助オーディオ情報を運搬できる。ベンダー−特定インフォフレームは、送信されるコンテンツのマルチビュータイプを含む。具体的な実施の形態については後述する。
【００６０】
シンク装置３２０は、拡張されたデバイス性能レジスタ（Ｅｘｔｅｎｄｅｄ  Ｄｅｖｉｃｅ  Ｃａｐａｂｉｌｉｔｙ  Ｒｅｇｉｓｔｅｒ）をソース装置３１０に送信して、シンク装置が支援するマルチオーディオモード情報を知らせる。具体的な実施の形態については後述する。
【００６１】
一方、補助的な（Ｓｕｐｐｌｅｍｅｎｔａｒｙ）マルチオーディオは、補助オーディオトラック（例えば、多数言語、視覚的障害のためのオーディオ説明、または聴覚的障害のためのクリーンオーディオ）の送信を支援する。この場合に、最大１６個のオーディオストリームが同時に送信されることができる。これについても、具体的な説明は後述する。
【００６２】
変化最小化差動信号（ＴＭＤＳ，Ｔｒａｎｓｉｔｉｏｎ−Ｍｉｎｉｍｉｚｅｄ  Ｄｉｆｆｅｒｅｎｔｉａｌ  Ｓｉｇｎａｌｉｎｇ）とエンコーディング
データプラットホームパケット
【表２】
0006514648.tif 000004
【００６３】
３Ｄオーディオサンプルパケット
３Ｄオーディオは、スピーカーが３Ｄ空間上において３Ｄオーディオ規格（例えば、１０．２ｃｈ、２２．２ｃｈ、３０．２ｃｈ等）別に決まった位置に配置されうるオーディオとして定義される。３Ｄオーディオサンプルパケットは、９個から３２個のオーディオチャネルを有する一つのオーディオサンプルから構成されている。
【００６４】
３Ｄオーディオストリームは、３２オーディオチャネル（またはそれ以上）までを含み、データサム（ｓｕｍ）区間で連続的なパケットを介して送信される。各パケットは、８オーディオチャネルまで含む。サブパケットの構成は、シーケンス番号とヘッダにあるサンプルプレゼントビット（ｓａｍｐｌｅ＿ｐｒｅｓｅｎｔ  ｂｉｔｓ）により判断される。
【００６５】
シーケンス番号フィールド（ｓｅｑｕｅｎｃｅ＿ｎｕｍｂｅｒ）：現在パケットの順序を表す。多数３Ｄオーディオサンプルパケットがシングル３Ｄオーディオサンプルを含むから、このフィールドは、パケット順序を正確に識別するために必要である。
【００６６】
他のヘッダフィールドとサブパケット構造は、ＭＨＬ２．０明細書において表されるオーディオサンプルパケットと一致する。
【表３】
0006514648.tif 000005
【００６７】
マルチオーディオサンプルパケット
マルチオーディオサンプルパケットは、各オーディオサンプルが独立的にオーディオストリームと関連した４個のオーディオサンプルを含むことができる。ＭＨＬソース装置が４個以上の独立的オーディオストリームを同時に送信するとき、こういう連続的なオーディオストリームは、続くマルチオーディオサンプルパケットシリーズにより送信される。パケットヘッダで定義されたシーケンス番号（ｓｅｑｕｅｎｃｅ＿ｎｕｍｂｅｒ）は、各々のマルチオーディオサンプルパケットを識別し、パケットの整列内で現在パケットの順序を示す。サブパケットの構成は、シーケンス番号とヘッダにあるサンプルプレゼントビット（ｓａｍｐｌｅ  ｐｒｅｓｅｎｔ  ｂｉｔｓ）により判断される。これについて、マルチオーディオデータパケット化で詳細に説明される。
【００６８】
各々のサブパケット（またはオーディオストリーム）のために、マルチオーディオメタデータパケット（Ｍｕｌｔｉ−Ａｕｄｉｏ  Ｍｅｔａｄａｔａ  Ｐａｃｋｅｔ）にあるデスクリプタフィールド（ｄｅｓｃｒｉｐｔｏｒ  ｆｉｅｌｄ）は、ビューモード（すなわち、シングル−ビューまたはマルチ−ビュー）、及び選択的情報（例えば、画面分離タギング、言語コード、視覚的障害のためのオーディオ等）を説明する。これらは、後で詳細に説明される。
【００６９】
シーケンス番号フィールド（ｓｅｑｕｅｎｃｅ＿ｎｕｍｂｅｒ）は、ソース装置からシンク装置に送信するための４個以上のオーディオストリームがあるとき、現在マルチオーディオサンプルパケットのシーケンス番号を表す。仮に、このフィールドが０に設定されると、そのパケットは、該当サブパケットにおいて各々第１番目の４個のオーディオストリームを各々（ｒｅｓｐｅｃｔｉｖｅｌｙ）含むことができる。仮に、このフィールドが１に設定されると、そのパケットは、該当サブパケットにおいて各々第２番目の４個のオーディオストリームセットを含むことができる。類似の方法で、パケットは、このフィールドが２または３に設定されるとき、第３番目または第４番目の４個のオーディオストリームセットを各々含む。シーケンス番号が０であるサブパケット０で処理されるオーディオストリームは、デフォルト（ｄｅｆａｕｌｔ）オーディオストリームとして指定される。
【００７０】
ストリームプレゼントフィールド（ｓｔｒｅａｍ＿ｐｒｅｓｎｔ．ｓｐＸ）は、サブパケットＸがストリームＸのオーディオサンプルを含んでいるかどうかを示す。
【００７１】
ストリームフラットフィールド（ｓｔｒｅａｍ＿ｆｌａｔ．ｓｐＸ）は、サブパケットＸがストリームＸの「フラットライン（ｆｌａｔｌｉｎｅ）」サンプルを表しているかどうかを示す。ストリームフラットフィールドは、ｓｔｒｅａｍ＿ｐｒｅｓｅｎｔ．ｓｐＸが設定されるときだけ有効である。
【００７２】
他のヘッダフィールドとサブパケット構造は、ＭＨＬ２．０スペックにおいて表されるオーディオサンプルパケットと一致する。
【表４】
0006514648.tif 000006
【００７３】
図４は、前記マルチオーディオサンプルパケットのペイロードが送信される状況を示す図である。
【００７４】
図４に示すように、４個のマルチオーディオサンプルパケットが送信される場合、１６個のオーディオストリームを運搬できる。シーケンス番号は、２ビットからなっているので、最大１６個のオーディオストリームが運搬されることができる。
【００７５】
図５は、本発明の一実施の形態にかかるデータ送受信システム１０００−１のブロック図である。
【００７６】
図５に示すように、本発明の一実施の形態にかかるデータ送受信システム１０００−１は、データ送信装置１００−１とデータ受信装置２００−１とを備える。
【００７７】
データ送信装置１００−１は、マルチオーディオストリームに対する複数のサブパケットを含むパケットを生成して、データ受信装置２００−１に送信する。
【００７８】
パケットのヘッダは、全体パケットのうち、前記生成されたパケットの順序を識別するためのシーケンス番号フィールド（Ｓｅｑｕｅｎｃｅ  Ｎｕｍｂｅｒ  Ｆｉｅｌｄ）を含む。
【００７９】
図６は、本発明の一実施の形態にかかるデータ送信装置１００−１のブロック図を示す図である。
【００８０】
図６に示すように、本発明の一実施の形態にかかるデータ送信装置１００−１は、パケット生成部１１０と送信部１２０とを備える。
【００８１】
前記パケット生成部１１０は、マルチオーディオストリームに対する複数のサブパケットを含むパケットを生成する。前述した実施の形態において示されるように、一つのパケットは、４個のオーディオストリームに対応する４個のサブパケットを含むことができる。
【００８２】
このとき、前記生成されたパケットのヘッダは、全体パケットのうち、前記生成されたパケットの順序を識別するためのシーケンス番号フィールド（Ｓｅｑｕｅｎｃｅ  Ｎｕｍｂｅｒ  Ｆｉｅｌｄ）を含む。図４の実施の形態のように、シーケンス番号フィールドは、送信されるパケットの順序を示す。
【００８３】
送信部１２０は、前記生成されたパケットをデータ受信装置２００−１に送信する。
【００８４】
図７は、本発明の一実施の形態にかかるデータ受信装置２００−１のブロック図を示す図である。
【００８５】
図７に示すように、本発明の一実施の形態にかかるデータ受信装置２００−１は、受信部２１０、パーシング部２２０を備える。
【００８６】
受信部２１０は、データ送信装置１００−１からマルチオーディオストリームに対する複数のサブパケットを含むパケットを受信する構成である。
【００８７】
パーシング部２２０は、前記受信されたパケットをパーシングする。前記受信されたパケットのヘッダは、全体パケットのうち、前記生成されたパケットの順序を識別するためのシーケンス番号フィールド（Ｓｅｑｕｅｎｃｅ  Ｎｕｍｂｅｒ  Ｆｉｅｌｄ）を含む。図４の実施の形態のように、シーケンス番号フィールドは、送信されるパケットの順序を示す。
【００８８】
３Ｄオーディオメタデータパケット
アクティブ（ａｃｔｉｖｅ）３Ｄオーディオデータを説明する補助データ（ａｎｃｉｌｌａｒｙ  ｄａｔａ）は、３Ｄオーディオメタデータパケットを使用して送信される。ＭＨＬソース装置が３Ｄオーディオサンプルパケットを送信できる場合、ソース装置は、常に正確な３Ｄオーディオメタデータパケットを、すべての二つのビデオフィールド当たりの少なくとも一回送信する。
【００８９】
次の表は、本発明の一実施の形態にかかる３Ｄオーディオメタデータパケットを示す。
【表５】
0006514648.tif 000007
【表６】
0006514648.tif 000008
【表７】
0006514648.tif 000009
【表８】
0006514648.tif 000010
【表９】
0006514648.tif 000011
【表１０】
0006514648.tif 000012
【００９０】
マルチオーディオメタデータパケット
アクティブマルチオーディオストリームを説明する補助データ（ａｎｃｉｌｌａｒｙ  ｄａｔａ）は、マルチオーディオメタデータパケットを使用して送信される。このパケットは、ビュー種類とマルチオーディオサンプルパケットから移される各々のオーディオストリームのための補助的オーディオ選択事項を説明するために使用される。
【００９１】
ＭＨＬソース装置がマルチオーディオサンプルパケットを送信できる場合、ＭＨＬソース装置は、常に正確なマルチストリームオーディオメタデータパケットを、毎度（ｅｖｅｒｙ）二つのビデオフィールド当たりの少なくとも一回ずつ送信する。
【００９２】
次は、本発明の実施の形態にかかるマルチオーディオメタデータパケットを示す。
【表１１】
0006514648.tif 000013
【００９３】
ビュー種類フィールド（ＭＡ＿Ｖｉｅｗ＿Ｔｙｐｅ）は、シングルビューまたはマルチビューのようなマルチオーディオストリームの関連したビューモードを表す。
【００９４】
シーケンス番号フィールド（Ｓｅｑｕｅｎｃｅ＿Ｎｕｍｂｅｒ）は、パケットまたは現在マルチオーディオメタデータパケットのシーケンス番号を表す。このフィールドは、最高４個の互いに異なるマルチオーディオメタデータパケットを識別するために使用される。このフィールドは、各マルチオーディオメタデータパケットを同じシーケンス番号を有するマルチオーディオサンプルパケットに独特に（ｕｎｉｑｕｅｌｙ）接続する。
【００９５】
オーディオストリーム個数フィールド（Ｎｕｍ＿Ａｕｄｉｏ＿Ｓｔｒｅａｍｓ）は、マルチオーディオサンプルパケットにより送信されたオーディオストリームの総個数を表す。
【００９６】
画面分離有効フィールド（ＳＣ＿Ｖａｌｉｄ）は、画面分離タギング（ｔａｇｇｉｎｇ）と関連する。例えば、仮に、画面分離有効フィールドが１に設定される場合、画面分離タギングは支援を受け、画面分離構成フィールド（Ｓｐｌｉｔ＿Ｓｃｒｅｅｎ＿Ｃｏｎｆｉｇ）は、次の７ビットで詳細化される。仮に、画面分離有効フィールドが０に設定される場合、画面分離タギングは支援を受けないか、または詳細化されず、次の７ビットは、他の使用のために残される。
【００９７】
画面分離種類フィールド（Ｓｐｌｉｔ＿Ｓｃｒｅｅｎ＿Ｃｏｎｆｉｇ）は、現在デスクリプタにより表されるオーディオストリームと関連した画面分離種類を示す。選択可能な画面分離種類は、下記の表１３に羅列されている。このフィールドは、ＳＣ＿有効＝１のときだけ有効である。
【００９８】
マルチオーディオデスクリプタフィールド（ＭＡ＿Ｄｅｓｃｒｉｐｔｏｒ＿Ｘ）は、該当マルチオーディオサンプルパケットのサブパケットＸにより送信されるオーディオストリームの特性を示す。表１３は、マルチオーディオデスクリプタの詳細な構造を示す。
【表１２】
0006514648.tif 000014
【００９９】
図８Ａ、８Ｂ、及び図８Ｃは、本発明の一実施の形態にかかるオーディオストリームと関連した画面分離モードを示す図である。
【０１００】
次の表は、本発明の一実施の形態にかかるマルチオーディオデスクリプタの定義を示す。
【表１３】
0006514648.tif 000015
【０１０１】
画面分離タグフィールド（Ｓｐｌｉｔ＿Ｓｃｒｅｅｎ＿Ｔａｇ）は、現在マルチオーディオデスクリプタにより表されるオーディオストリームと関連した特定ウィンドウ（分離画面構成により定義されたように）を示す。本発明の一実施の形態にかかる画面分離タグフィールドの詳細な説明は、下記の表１５に示される。このフィールドは、ＳＣ＿有効＝１のときだけ有効で、それともＭＨＬシンク装置は、このフィールドを無視する。
【０１０２】
関連ビュー識別フィールド（Ａｓｓｏｃｉａｔｅｄ＿Ｖｉｅｗ＿ＩＤ）は、現在マルチオーディオデスクリプタにより表されるオーディオストリームと関連した特定ビューを表す。このフィールドの意味は、ビュー種類フィールド（ＭＡ＿Ｖｉｅｗ＿Ｔｙｐｅ）の値に拠る。本発明の一実施の形態にかかる関連ビュー識別フィールドの詳細な説明は、下記の表１５に示す。
【０１０３】
有効言語コードフィールド（ＬＣ＿ｐｒｅｓｅｎｔ）は、有効言語コードを含んでいるかどうかを表す。例えば、仮に、このフィールドが１に設定されると、現在デスクリプタは、次のバイトにおいて有効な言語コードフィールド（Ｌａｎｇｕａｇｅ＿Ｃｏｄｅ）を含む。
【０１０４】
ミックスオーディオフィールド（Ｍｉｘｅｄ＿Ａｕｄｉｏ）は、該当オーディオストリームが一般オーディオと補助オーディオとの予めミックスされたストリームを含むかどうかを表す。仮に、このフィールドが１に設定されると、該当オーディオストリームは、補助オーディオ種類フィールド（Ｓｕｐｐｌ＿Ａｕｄｉｏ＿Ｔｙｐｅ）により表れるように、一般オーディオと補助オーディオとの予めミックスされたストリームを含む。
【０１０５】
ＳＡＴプレゼントフィールド（ＳＡＴ＿ｐｒｅｓｅｎｔ）は、現在デスクリプタが有効な補助オーディオ種類フィールドを含むかどうかを表す。例えば、仮に、このフィールドが１に設定されると、現在デスクリプタは、次の４ビットにおいて有効な補助オーディオ種類フィールド（Ｓｕｐｐｌ＿Ａｕｄｉｏ＿Ｔｙｐｅ）を含む。
【０１０６】
ＳＡＴプレゼントフィールド（ＳＡＴ＿ｐｒｅｓｅｎｔ）は、現在デスクリプタが有効な補助オーディオ種類フィールドを含むかどうかを表す。例えば、仮に、このフィールドが１に設定されると、現在デスクリプタは、次の４ビットにおいて有効な補助オーディオ種類フィールド（Ｓｕｐｐｌ＿Ａｕｄｉｏ＿Ｔｙｐｅ）を含む。
【０１０７】
補助オーディオ種類フィールド（Ｓｕｐｐｌ＿Ａｕｄｉｏ＿Ｔｙｐｅ）は、該当オーディオストリームのための補助オーディオの種類を表す。本発明の一実施の形態にかかる補助オーディオ種類フィールドの詳細な説明は、表１６で提供される。このフィールドは、ＳＡＴプレゼントフィールド（ＳＡＴ＿ｐｒｅｓｅｎｔ）＝１のときだけ有効で、それとも、シンク装置は、このフィールドを無視する。
【０１０８】
言語コードフィールド（Ｌａｎｇｕａｇｅ＿Ｃｏｄｅ）は、該当オーディオストリームのＩＳＯ６３９で定義された言語コードを表す。このフィールドは、有効言語コードフィールド（ＬＣ＿ｐｒｅｓｅｎｔ）が１に設定されるときだけ有効で、それとも、シンク装置は、このフィールドを無視する。
【表１４】
0006514648.tif 000016
【表１５】
0006514648.tif 000017
【表１６】
0006514648.tif 000018
【０１０９】
図９は、本発明の一実施の形態にかかるデータ送受信システム１０００−２のブロック図である。
【０１１０】
図９に示すように、本発明の他の実施の形態にかかるデータ送受信システム１０００−２は、データ送信装置１００−２及びデータ受信装置２００−２を備える。
【０１１１】
データ送信装置１００−２は、オーディオメタデータパケットを生成してデータ受信装置２００−２に送信する。オーディオメタデータパケットは、送信されるオーディオスペックに対して定義する。
【０１１２】
前記オーディオメタデータパケットのヘッダ（ｈｅａｄｅｒ）は、前記オーディオメタデータパケットが表すオーディオデータと関連した画面分離情報フィールド（Ｓｐｌｉｔ  Ｓｃｒｅｅｎ  Ｉｎｆｏｒｍａｔｉｏｎ  Ｆｉｅｌｄ）を含む。
【０１１３】
本発明の実施の形態にかかるデータ送信装置１００−２とデータ受信装置２００−２の各構成については、以下で詳細に説明する。
【０１１４】
図１０は、本発明の他の実施の形態にかかるデータ送信装置１００−２のブロック図である。
【０１１５】
図１０に示すように、本発明の他の実施の形態にかかるデータ送信装置１００−２は、パケット生成部１１０、送信部１２０（例えば、送信機（ｔｒａｎｓｍｉｔｔｅｒ））を備える。
【０１１６】
パケット生成部１１０は、オーディオメタデータパケットを生成する。オーディオメタデータパケットは、送信されるオーディオスペックに対して定義する。
【０１１７】
特に、前記生成されたオーディオメタデータパケットのヘッダ（ｈｅａｄｅｒ）は、前記オーディオメタデータパケットが表すオーディオデータと関連した画面分離情報フィールド（Ｓｐｌｉｔ  Ｓｃｒｅｅｎ  Ｉｎｆｏｒｍａｔｉｏｎ  Ｆｉｅｌｄ）を含む。
【０１１８】
送信部１２０は、前記生成されたオーディオメタデータパケットをデータ受信装置２００−２に送信する。
【０１１９】
このとき、前記画面分離情報フィールドは、画面分離支援有無を表す画面分離有効フィールド（Ｓｐｌｉｔ  Ｓｃｒｅｅｎ  Ｖａｌｉｄ  Ｆｉｅｌｄ）及び送信されるオーディオデータと関連した分離画面種類を表す分離画面種類フィールド（Ｓｐｌｉｔ  Ｓｃｒｅｅｎ  Ｔｙｐｅ  Ｆｉｅｌｄ）のうち、少なくとも一つを含むことができる。
【０１２０】
前記分離画面種類フィールドは、ディスプレイ画面を水平方向に分離する第１分離モード、前記ディスプレイ画面を垂直方向に分離する第２分離モード、前記ディスプレイ画面内にＰＩＰ画面をディスプレイする第３分離モード、及び前記ディスプレイ画面を三個以上に分離する第４分離モードのうちの何れか一つを含むことができる。
【０１２１】
前記生成されたオーディオメタデータパケットのヘッダ（ｈｅａｄｅｒ）は、送信されるコンテンツがマルチビューコンテンツなのかシングルビューコンテンツなのかを表すビュー種類フィールド（Ｖｉｅｗ  Ｔｙｐｅ  Ｆｉｅｌｄ）、前記オーディオメタデータパケットのシーケンス番号を表すシーケンス番号フィールド（Ｓｅｑｕｅｎｃｅ  Ｎｕｍｂｅｒ  Ｆｉｅｌｄ）、及び送信されるオーディオストリームの個数情報を表すオーディオストリーム個数フィールド（Ｎｕｍｂｅｒ  Ｏｆ  Ａｕｄｉｏ  Ｓｔｒｅａｍ  Ｆｉｅｌｄ）のうち、少なくとも一つをさらに含むことができる。
【０１２２】
前記生成されたオーディオメタデータパケットのペイロード（ｐａｙｌｏａｄ）は、マルチオーディオサンプルパケット（Ｍｕｌｔｉ  Ａｕｄｉｏ  Ｓａｍｐｌｅ  Ｐａｃｋｅｔ）のサブパケットに対するメタデータを表すマルチオーディオデスクリプタフィールド（Ｍｕｌｔｉ  Ａｕｄｉｏ  Ｄｅｓｃｒｉｐｔｏｒ  Ｆｉｅｌｄ）を含むことができる。
【０１２３】
前記マルチオーディオデスクリプタフィールドは、前記生成されたオーディオメタデータパケットが表すオーディオデータに対応する分離された画面情報を表す画面分離タグフィールド（Ｓｐｌｉｔ  Ｓｃｒｅｅｎ  Ｔａｇ  Ｆｉｅｌｄ）、前記生成されたオーディオメタデータパケットが表すオーディオデータに対応するビューを表す関連ビュー識別フィールド（Ａｓｓｏｃｉａｔｅｄ  Ｖｉｅｗ  ＩＤ  Ｆｉｅｌｄ）、前記マルチオーディオデスクリプタフィールドが有効な言語コードを含むかどうかを表す有効言語コードフィールド（Ｖａｌｉｄ  Ｌａｎｇｕａｇｅ  Ｃｏｄｅ  Ｆｉｅｌｄ）、メインオーディオデータと補助オーディオデータとのプレミックス有無を表すミックスオーディオフィールド（ｍｉｘｅｄ  Ａｕｄｉｏ  Ｆｉｅｌｄ）、前記マルチオーディオデスクリプタフィールドが有効な補助オーディオデータの種類に対する情報を含むかどうかを表すＳＡＴプレゼントフィールド（ＳＡＴ  Ｐｒｅｓｅｎｔ  Ｆｉｅｌｄ）、前記生成されたオーディオメタデータパケットが表すオーディオデータのための補助オーディオデータ種類を表す補助オーディオ種類フィールド（Ｓｕｐｐｌｅｍｅｎｔａｌ  Ａｕｄｉｏ  Ｔｙｐｅ  Ｆｉｅｌｄ）、前記生成されたオーディオメタデータパケットが表すオーディオデータのＩＳＯ６３９と定義された言語コードを表す言語コードフィールド（Ｌａｎｇｕａｇｅ  Ｃｏｄｅ  Ｆｉｅｌｄ）のうち、少なくとも一つを含むことができる。
【０１２４】
図１１は、本発明の他の実施の形態にかかるデータ受信装置２００−２のブロック図である。
【０１２５】
図１１に示すように、本発明の他の実施の形態にかかるデータ受信装置２００−２は、受信部２１０、パーシング部２２０（例、パーサー（ｐａｒｓｅｒ））を備える。
【０１２６】
受信部２１０は、データ送信装置１００−２からオーディオメタデータパケットを受信する。オーディオメタデータパケットは、受信されるオーディオスペックに対して定義する。
【０１２７】
特に、前記オーディオメタデータパケットのヘッダ（ｈｅａｄｅｒ）は、前記オーディオメタデータパケットが表すオーディオデータと関連した画面分離情報フィールド（Ｓｐｌｉｔ  Ｓｃｒｅｅｎ  Ｉｎｆｏｒｍａｔｉｏｎ  Ｆｉｅｌｄ）を含む。
【０１２８】
受信部２１０は、前記オーディオメタデータパケットをデータ送信装置１００−２から受信する。
【０１２９】
このとき、前記画面分離情報フィールドは、画面分離支援有無を表す画面分離有効フィールド（Ｓｐｌｉｔ  Ｓｃｒｅｅｎ  Ｖａｌｉｄ  Ｆｉｅｌｄ）及び送信されるオーディオデータと関連した分離画面種類を表す分離画面種類フィールド（Ｓｐｌｉｔ  Ｓｃｒｅｅｎ  Ｔｙｐｅ  Ｆｉｅｌｄ）のうち、少なくとも一つを含むことができる。
【０１３０】
前記分離画面種類フィールドは、ディスプレイ画面を水平方向に分離する第１分離モード、前記ディスプレイ画面を垂直方向に分離する第２分離モード、前記ディスプレイ画面内にＰＩＰ画面をディスプレイする第３分離モード、及び前記ディスプレイ画面を三個以上に分離する第４分離モードのうちの何れか一つを含むことができる。
【０１３１】
前記オーディオメタデータパケットのヘッダ（ｈｅａｄｅｒ）は、受信されるコンテンツがマルチビューコンテンツなのかシングルビューコンテンツなのかを表すビュー種類フィールド（Ｖｉｅｗ  Ｔｙｐｅ  Ｆｉｅｌｄ）、前記オーディオメタデータパケットのシーケンス番号を表すシーケンス番号フィールド（Ｓｅｑｕｅｎｃｅ  Ｎｕｍｂｅｒ  Ｆｉｅｌｄ）、及び受信されるオーディオストリームの個数情報を表すオーディオストリーム個数フィールド（Ｎｕｍｂｅｒ  Ｏｆ  Ａｕｄｉｏ  Ｓｔｒｅａｍ  Ｆｉｅｌｄ）のうち、少なくとも一つをさらに含むことができる。
【０１３２】
前記オーディオメタデータパケットのペイロード（ｐａｙｌｏａｄ）は、マルチオーディオサンプルパケット（Ｍｕｌｔｉ  Ａｕｄｉｏ  Ｓａｍｐｌｅ  Ｐａｃｋｅｔ）のサブパケットに対するメタデータを表すマルチオーディオデスクリプタフィールド（Ｍｕｌｔｉ  Ａｕｄｉｏ  Ｄｅｓｃｒｉｐｔｏｒ  Ｆｉｅｌｄ）を含むことができる。
【０１３３】
前記マルチオーディオデスクリプタフィールドは、前記オーディオメタデータパケットが表すオーディオデータに対応する分離された画面情報を表す画面分離タグフィールド（Ｓｐｌｉｔ  Ｓｃｒｅｅｎ  Ｔａｇ  Ｆｉｅｌｄ）、前記オーディオメタデータパケットが表すオーディオデータに対応するビューを表す関連ビュー識別フィールド（Ａｓｓｏｃｉａｔｅｄ  Ｖｉｅｗ  ＩＤ  Ｆｉｅｌｄ）、前記マルチオーディオデスクリプタフィールドが有効な言語コードを含むかどうかを表す有効言語コードフィールド（ＶａｌｉｄＬａｎｇｕａｇｅ  Ｃｏｄｅ  Ｆｉｅｌｄ）、メインオーディオデータと補助オーディオデータとのプレミックス有無を表すミックスオーディオフィールド（ｍｉｘｅｄ  Ａｕｄｉｏ  Ｆｉｅｌｄ）、前記マルチオーディオデスクリプタフィールドが有効な補助オーディオデータの種類に対する情報を含むかどうかを表すＳＡＴプレゼントフィールド（ＳＡＴ  Ｐｒｅｓｅｎｔ  Ｆｉｅｌｄ）、前記オーディオメタデータパケットが表すオーディオデータのための補助オーディオデータ種類を表す補助オーディオ種類フィールド（Ｓｕｐｐｌｅｍｅｎｔａｌ  Ａｕｄｉｏ  Ｔｙｐｅ  Ｆｉｅｌｄ）、前記オーディオメタデータパケットが表すオーディオデータのＩＳＯ６３９で定義された言語コードを表す言語コードフィールド（Ｌａｎｇｕａｇｅ  Ｃｏｄｅ  Ｆｉｅｌｄ）のうち、少なくとも一つを含むことができる。
【０１３４】
アクティブマルチオーディオモードインジケーター
ソース装置は、シンク装置に送信される正確なビューモードを表すために、Ｖｅｎｄｏｒ−Ｓｐｅｃｉｆｉｃ  Ｉｎｆｏｆｒａｍｅ（ＶＳＩＦ）を使用することができる。ＶＳＩＦは、表１７に示すように構造化される。
【表１７】
0006514648.tif 000019
【０１３５】
ＭＨＬマルチビューフィールド（ＭＨＬ＿ＭＵＬＴＩ＿ＶＩＥＷ）は、どんなマルチビューモードが送信されるかを表す。本発明の一実施の形態にかかるＭＨＬマルチビューフィールドに対する詳細な説明は、表１８に示される。
【表１８】
0006514648.tif 000020
【０１３６】
ビデオ
３Ｄ支援のための３Ｄビデオデスクリプタ
【表１９】
0006514648.tif 000021
【０１３７】
本発明の一実施の形態にかかる各々の支援される３Ｄビデオモードは、一つの３Ｄビデオデスクリプタで表される。
【０１３８】
ＭＶ＿ＳＵＰＰ：仮に、「１」に設定されると、装置は、マルチビュービデオストリーミングのための３Ｄビデオフォーマットを使用して支援する。
【０１３９】
オーディオ
チャネル／スピーカー割り当て
ＭＨＬシンク装置が３Ｄオーディオを受信する能力がある場合に、表３８から表４０に説明された３Ｄチャネルスピーカー割り当てデスクリプタは、付着されたスピーカーの構成を示すために使用される。ソース装置から送信される３Ｄオーディオのための現在スピーカー割り当ての指標が３Ｄオーディオメタデータパケットの３Ｄ  ＣＡフィールドで扱われる。３Ｄ  ＣＡフィールドの詳細な説明は、表２７から２９を参考にする。
【０１４０】
３Ｄオーディオデータパケット化（３Ｄ  Ａｕｄｉｏ  Ｄａｔａ  Ｐａｃｋｅｔｉｚａｔｉｏｎ）
３Ｄオーディオサンプルパケットの各サブパケットは、０または一つのＩＥＣ  ６０９５８フレームを含むことができる。仮に、ソース装置が３Ｄオーディオストリームをダウンミックスする必要があり、そのダウンミックスされたオーディオストリームらがまた３Ｄオーディオストリームであるとき、それらは、３Ｄオーディオサンプルパケットを使用して処理される。仮に、シンク装置が３Ｄオーディオ特徴を支援しない場合、ソース装置は、３Ｄオーディオメタデータパケットとともに３Ｄオーディオサンプルパケットを送信できない。
【０１４１】
チャネルの数に依存して、他のサブパケットレイアウトの数が存在する。本発明の一つ以上の実施の形態によって、下記の表２０から表２２は、１２、２４、または３２チャネルの各々を送信する時における３Ｄオーディオパケットレイアウトを示す。
【表２０】
0006514648.tif 000022
【表２１】
0006514648.tif 000023
【表２２】
0006514648.tif 000024
【０１４２】
各々のサブパケットのための一つの、３Ｄオーディオサンプルパケットヘッダに４個のサンプルプレゼントビット（Ｓａｍｐｌｅ＿ｐｒｅｓｅｎｔｂｉｔ）がある。各々は、一つのサブパケットが一つの３Ｄオーディオサンプルを含むということを表す。付け加えて、サンプルにより代表される時間期間の間にソース装置で利用可能な有用なオーディオデータがない場合、設定される４個のサンプルフラット（ｓａｍｐｌｅ＿ｆｌａｔ．ｓｐＸ）ビットがある。これは、サンプル比率の変化または一時的なストリーム妨害の間に発生できる。
【０１４３】
続く３Ｄオーディオサンプルパケットは、Ｌ−ＰＣＭオーディオ（すなわち、５から１６  ＩＥＣ６０９５８フレーム）の９から３２個の間のチャネルを含む一つの３Ｄオーディオサンプルを処理するように使用されることができる。
【０１４４】
３Ｄオーディオサンプルの第１番目のパケットは、８個のオーディオチャネルでぎっしり積まれており、０に設定されたシーケンス番号フィールドを有する。シーケンス番号は、同じ３Ｄオーディオサンプル内で各追加パケットに対して一つずつ増加する。最後のパケットは、３Ｄオーディオサンプルの全体チャネル数に依存する８個またはそれより少ないオーディオチャネル数を含む。
【０１４５】
３Ｄオーディオサンプルパケットのためのただ５個の有効なサンプルプレゼント（ｓａｍｐｌｅ＿ｐｒｅｓｅｎｔ）ビットがある。
【表２３】
0006514648.tif 000025
【０１４６】
図１０及び図１１は、３Ｄオーディオ信号の送信タイミングを示す図である。
【０１４７】
図１０と図１１は、水平ブランク区間（ｈｏｒｉｚｏｎｔａｌ  Ｂｌａｎｋｉｎｇ  Ｉｎｔｅｒｖａｌ）において３個の８チャネル２Ｄオーディオ信号サンプルを送信することを示す。２４チャネルの３Ｄオーディオ信号は、同じ期間の間に一つのサンプルが送信される。
【０１４８】
マルチオーディオデータパケット化
ＭＨＬは、ＭＨＬソース装置がシングル−ＡＶストリーミングのためにオーディオストリームを同時に送信するようにする。多数のオーディオストリームは、シングルビューまたはマルチビュービデオストリーミング（例えば、ビュー当たりの他のオーディオを有するデュアルビューゲーミング）のうちの一つと関連する。補助オーディオモードは、画面分離タギング（すなわち、画面の他の部分がタグされ、それ自身のオーディオストリームと関連する）、言語コード、または視覚的／聴覚的障害者のためのオーディオを表すことができる。各々のオーディオストリームは、一つのビューモードと関連し、最大２個のオーディオチャネルを含む。
【０１４９】
マルチストリームオーディオサンプルパケットの各々のサブパケットは、０または一つのＩＥＣ６０９５８で定義されたＩＥＣ  ６０９５８またはＩＥＣ６１９３７「ブロック」の「フレーム」を含むことができる。
【０１５０】
送信されるための４個以上のオーディオストリームがあるとき、二つまたはそれ以上の連続するマルチオーディオサンプルパケットは、多数のオーディオストリームを送信するために使用される。パケット整列内の各パケットの順序は、シーケンス番号フィールドにより識別される。ＭＨＬソース装置は、シングルＡＶストリーム内で最大１６個の独立オーディオストリームを同時に送信できる。
【０１５１】
表２４と表２５は、本発明の一つ以上の実施の形態にかかるＭＨＬソース装置がシングルビュービデオストリーミングで４個のオーディオストリームを送信するときにおいて、マルチオーディオサンプルパケットとマルチオーディオメタデータパケットレイアウトの例を示す。マルチオーディオメタデータパケットは、各々のオーディオストリームの特徴（補助情報、言語など）を説明する。
【０１５２】
表２６と表２７は、ＭＨＬソース装置がデュアルビュービデオストリーミングで８個のオーディオストリームを送信するときにおいて、マルチオーディオサンプルパケットとマルチオーディオメタデータパケットレイアウトの例を示す。マルチオーディオメタデータパケットは、各々のオーディオストリームの特徴（関連ビュー、補助情報、言語など）を説明する。
【０１５３】
表２８と表２９は、ＭＨＬソース装置がシングルビュービデオストリーミングを可能にする画面分離タギングオプションを有して６個のオーディオストリームを送信するときにおいて、マルチオーディオサンプルパケットとマルチオーディオメタデータパケットレイアウトの例を示す。
【表２４】
0006514648.tif 000026
【表２５】
0006514648.tif 000027
【０１５４】
ＨＩのためのオーディオ：聴覚的障害のためのオーディオストリーム
ＶＩのためのオーディオ：視覚的障害のためのオーディオストリーム
【表２６】
0006514648.tif 000028
【表２７】
0006514648.tif 000029
【０１５５】
ＨＩのためのオーディオ：聴覚的障害のためのオーディオストリーム
ＶＩのためのオーディオ：視覚的障害のためのオーディオストリーム
【表２８】
0006514648.tif 000030
【表２９】
0006514648.tif 000031
【０１５６】
ＨＩのためのオーディオ：聴覚的障害のためのオーディオストリーム
ＶＩのためのオーディオ：視覚的障害のためのオーディオストリーム
【０１５７】
３Ｄオーディオメタデータパケット化
アクティブ３Ｄオーディオストリームが送信されるごとに、正確な３Ｄオーディオメタデータパケットが少なくとも二つのビデオフィールド当たりの一回送信される。
【０１５８】
新しい３Ｄオーディオストリームが始まる際、または３Ｄオーディオメタデータパケットとオーディオインフォフレームにより表すことのできる３Ｄオーディオストリームに変化がある際、修正された正確な３Ｄオーディオメタデータパケットは、初めて影響を受けたノンサイレント（ｎｏｎ−ｓｉｌｅｎｔ）オーディオサンプルに従う一つのビデオフレームの以前に送信される。優先的に、これは、初めて影響を受けたオーディオサンプルが送信される直前に発生する。
【０１５９】
３Ｄオーディオメタデータパケット送信は、水平的垂直的ブラキング区間を含むデータプラットホーム区間以内でいつでも発生できる。
【０１６０】
３Ｄオーディオがストリーミングされるとき、ＭＨＬシンク装置は、オーディオインフォフレームでＣＣとＣＡフィールドを無視し、その代りに３Ｄオーディオメタデータパケットで３Ｄ＿ＣＣと３Ｄ＿ＣＡを参考にする。
【０１６１】
マルチオーディオメタデータパケット化
アクティブマルチ−オーディオストリームが送信されるごとに、正確なマルチ−オーディオメタデータパケットが少なくとも二つビデオフィールド当たりの一回送信される。
【０１６２】
新しいマルチ−オーディオストリームが始まるとき、またはマルチ−オーディオメタデータパケットとオーディオインフォフレームにより表すことのできるマルチ−オーディオストリームに変化があるとき、修正された正確なマルチ−オーディオメタデータパケットは、初めて影響を受けたノンサイレント（ｎｏｎ−ｓｉｌｅｎｔ）オーディオサンプルに従う一つのビデオフレームの以前に送信される。優先的に、これは、初めて影響を受けたオーディオサンプルが送信される直前に発生する。
【０１６３】
マルチ−オーディオメタデータパケット送信は、水平的垂直的ブラキング区間を含むデータプラットホーム区間以内でいつでも発生できる。
【０１６４】
３Ｄ／マルチ−オーディオ支援のためのＷＲＩＴＥ＿ＢＵＲＳＴ使用
本発明の一つ以上の実施の形態にかかる３Ｄオーディオモードに対する支援は、表３１と表３７に示したように、フォーマットされた一連のＷＲＩＴＥ＿ＢＵＲＳＴ移動を使用して示す。
【表３０】
0006514648.tif 000032
【表３１】
0006514648.tif 000033
【表３２】
0006514648.tif 000034
【表３３】
0006514648.tif 000035
【表３４】
0006514648.tif 000036
【表３５】
0006514648.tif 000037
【表３６】
0006514648.tif 000038
【表３７】
0006514648.tif 000039
太い文字は、１０．２チャネルと関連した指定スピーカーを表す。
【表３８】
0006514648.tif 000040
太い文字は、２２．２チャネルと関連した指定スピーカーを表す。
【表３９】
0006514648.tif 000041
太い文字は、３０．２チャネルと関連した指定スピーカーを表す
【表４０】
0006514648.tif 000042
【０１６５】
リンク制御バス（Ｌｉｎｋ  Ｃｏｎｔｒｏｌ  Ｂｕｓ）
デバイスレジスタ変更割込み（Ｄｅｖｉｃｅ  Ｒｅｇｉｓｔｅｒ  Ｃｈａｎｇｅ  Ｉｎｔｅｒｒｕｐｔ）
【表４１】
0006514648.tif 000043
【０１６６】
３Ｄ＿ＡＵＤ＿ＲＥＱは、ＭＨＬシンク装置から３Ｄオーディオ支援情報を要請するために、ＭＨＬソース装置により使用される。
【０１６７】
Ｂｕｒｓｔ＿ＩＤ  Ｃｏｄｅ
【表４２】
0006514648.tif 000044
【０１６８】
３Ｄ＿ＡＤと３Ｄ＿ＣＳＡＤは、オーディオ延長の支援を表すのにおいて、ＭＨＬシンク装置により使用される。ＭＨＬスペック７．ＸＸを参照。
【０１６９】
制御と構成（Ｃｏｎｔｒｏｌ  ａｎｄ  Ｃｏｎｆｉｇｕｒａｔｉｏｎ）
拡張されたデバイス性能レジスタ（Ｅｘｔｅｎｄｅｄ  Ｄｅｖｉｃｅ  Ｃａｐａｂｉｌｉｔｙ  Ｒｅｇｉｓｔｅｒ）
シンク装置は、ソース装置に拡張されたデバイス性能レジスタを提供できる。換言すれば、ソース装置は、シンク装置の拡張されたデバイス性能レジスタを読み出すことができる。
【０１７０】
下記の表のように、ＭＨＬスペックで拡張されたデバイス性能レジスタのアドレス０ｘ８５をシンク装置が支援するマルチオーディオモードを表すのに使用することができる。
【表４３】
0006514648.tif 000045
【０１７１】
マルチオーディオモード（Ｍｕｌｔｉ−Ａｕｄｉｏ  Ｍｏｄｅ）
各シンク装置は、支援する特定マルチオーディオモードを登録するマルチオーディオモード（ＭＵＬＴＩ＿ＡＵＤ＿ＭＯＤＥ）に表示できる。
【０１７２】
マルチオーディオモードレジスタは、シンク装置が画面分離と関連したマルチオーディオ受信及び処理を支援するかどうかを表す画面分離オーディオフィールド（Ｓｐｌｉｔ  Ｓｃｒｅｅｎ  Ａｕｄｉｏ  Ｆｉｅｌｄ）を含む。
【表４４】
0006514648.tif 000046
【０１７３】
装置がマルチビュービデオストリーミングを支援する能力がない場合、このフィールドは０に設定される
図１４は、本発明の他の実施の形態にかかるデータ送受信システム１０００−３のブロック図を示す図である。
【０１７４】
図１４に示すように、本発明の実施の形態にかかるデータ送受信システム１０００−３は、データ送信装置１００−３とデータ受信装置２００−３を備える。
【０１７５】
前記データ送信装置１００−３は、オーディオデータに関してシンク装置により支援される特徴情報を含むデバイス性能情報ブロック（Ｄｅｖｉｃｅ  Ｃａｐａｂｉｌｉｔｙ  Ｉｎｆｏｒｍａｔｉｏｎ  Ｂｌｏｃｋ）を前記データ受信装置２００−３に送信する。
【０１７６】
図１５は、本発明の実施の形態にかかるデータ送信装置１００−３の構成を示すブロック図である。
【０１７７】
図１５に示すように、本発明の実施の形態にかかるデータ送信装置１００−３は、生成部１３０と、送信部１２０を備える。
【０１７８】
生成部１３０は、オーディオデータに関してシンク装置により支援される特徴情報を含むデバイス性能情報ブロック（Ｄｅｖｉｃｅ  Ｃａｐａｂｉｌｉｔｙ  Ｉｎｆｏｒｍａｔｉｏｎ  Ｂｌｏｃｋ）を生成する。
【０１７９】
前記デバイス性能情報ブロックは、前記シンク装置が画面分離と関連したマルチオーディオ受信及び処理を支援するかどうかを表す画面分離オーディオフィールド（Ｓｐｌｉｔ  Ｓｃｒｅｅｎ  Ａｕｄｉｏ  Ｆｉｅｌｄ）を含むことができる。
【０１８０】
送信部１２０は、データ受信装置２００−３に前記デバイス性能情報ブロック（Ｄｅｖｉｃｅ  Ｃａｐａｂｉｌｉｔｙ  Ｉｎｆｏｒｍａｔｉｏｎ  Ｂｌｏｃｋ）を送信する。
【０１８１】
図１６は、本発明のさらに他の実施の形態にかかるデータ受信装置２００−３の構成を示すブロック図である。
【０１８２】
図１６に示すように、本発明の一実施の形態にかかるデータ受信装置２００−３は、受信部２１０と分析部２３０（例、分析機（ａｎａｌｙｚｅｒ））を備える。
【０１８３】
受信部２１０は、前記データ送信装置１００−３からデバイス性能情報ブロックを受信する。
【０１８４】
分析部２３０は、受信されたデバイス性能情報ブロックを分析する。
【０１８５】
前記デバイス性能情報ブロック（Ｄｅｖｉｃｅ  Ｃａｐａｂｉｌｉｔｙ  Ｉｎｆｏｒｍａｔｉｏｎ  Ｂｌｏｃｋ）は、オーディオデータに関してシンク装置により支援される特徴情報を含む。具体的に、前記デバイス性能情報ブロックは、前記シンク装置が画面分離と関連したマルチオーディオ受信及び処理を支援するかどうかを表す画面分離オーディオフィールド（Ｓｐｌｉｔ  Ｓｃｒｅｅｎ  Ａｕｄｉｏ  Ｆｉｅｌｄ）を含むことができる。
【０１８６】
マルチストリームオーディオ
以下、本発明の多様な実施の形態にかかるマルチストリームオーディオを説明する。以下で説明するマルチストリームオーディオ送信スペックは、ＨＤＭＩ、ＭＨＬを含む多様な有無線送信インタフェースで採用されることができる。
【０１８７】
本発明の一実施の形態にかかるソース装置は、同時に４個のオーディオストリームを送信できる。マルチストリームオーディオサンプルパケット（Ｍｕｌｔｉ−ｓｔｒｅａｍ  Ａｕｄｉｏ  Ｓａｍｐｌｅ  Ｐａｃｋｅｔ）に対してすべてのオーディオストリームは、一つのオーディオインフォフレーム（Ｉｎｆｏｆｒａｍｅ）を共有する。
【０１８８】
本発明の多様な実施の形態にかかる有線インタフェースは、シングルビュービデオストリーミングに対する支援（例えば、多数の言語（ｍｕｌｔｉ−ｌｉｎｇｕａｌ）を支援するか、または視覚／聴覚障害者のためのオーディオ等）を追加できる。これは、オーディオメタデータパケット（Ａｕｄｉｏ  Ｍｅｔａｄａｔａ  Ｐａｃｋｅｔ）を修正するか、またはＨＤＭＩオーディオデータブロック（ＨＤＭＩ  Ａｕｄｉｏ  Ｄａｔａ  Ｂｌｏｃｋ）を修正して可能である。
【０１８９】
例えば、下記の表４５のように、マルチストリームオーディオは、多数の言語を支援し、オーディオは、２チャネルで支援されることができる。
【表４５】
0006514648.tif 000047
【０１９０】
シナリオ
図１７は、本発明の一実施の形態にかかるマルチストリームオーディオサンプルパケットのシナリオを示す。
【０１９１】
４個のサブパケットを有するマルチストリームオーディオサンプルパケットの場合、次のシナリオが存在できる。１）シングルビューのためのオーディオデスクリプション（ａｕｄｉｏ  ｄｅｓｃｒｉｐｔｉｏｎ）と共にシングルＴＶプログラムが送信される場合、ストリーム０は、ノーマル（ｎｏｒｍａｌ）オーディオ信号を含み、ストリーム１は、視覚障害者のためのオーディオデスクリプション信号を含むことができる。
【０１９２】
２）前記シングルビューで２個国語を支援する場合、支援される言語からなるオーディオ信号ストリーム２個と、各々に対応するオーディオデスクリプションが共に送信される。例えば、英語と韓国語とが支援される場合、ストリーム０は、韓国語ノーマルオーディオ信号、ストリーム１は、視覚障害者のための韓国語オーディオデスクリプション信号、ストリーム２は、英語ノーマルオーディオ信号、ストリーム３は、視覚障害者のための英語オーディオデスクリプション信号をそれぞれ含むことができる。
【０１９３】
３）シングルビューで一つの言語からなるオーディオ信号ストリームの一つとこれに対する異なる言語で支援される視覚障害者のためのオーディオデスクリプション信号が二つ送信されることもできる。例えば、ストリーム０は、韓国語または英語ノーマルオーディオ信号、ストリーム１は、視覚障害者のための韓国語オーディオデスクリプション信号、ストリーム２は、視覚障害者のための英語オーディオデスクリプション信号をそれぞれ含むことができる。
【０１９４】
４）ソース装置がマルチビューのためのオーディオ信号を送信することもできる。デュアルビューが支援される場合、最も基本的な形態は、各ビューに対するオーディオ信号を一つの送信ストリームで送信することである。デュアルビューの場合、独立的な第１ビューと第２ビューを含み、各ビューは、独立的なコンテンツを提供する。
【０１９５】
５）各ビューに対して２個国語が支援されることができる。この場合、第１ビューに対する第１言語からなるオーディオ信号ストリーム、第１ビューに対する第２言語からなるオーディオ信号ストリーム、第２ビューに対する第１言語からなるオーディオ信号ストリーム、第２ビューに対する第２言語からなるオーディオ信号ストリームがそれぞれ送信されることができる。例えば、英語と韓国語とが支援される場合、ストリーム０は、第１ビューに対する韓国語オーディオ信号、ストリーム１は、第１ビューに対する英語オーディオ信号、ストリーム２は、第２ビューに対する韓国語オーディオ信号、ストリーム３は、第２ビューに対する英語オーディオ信号を含むことができる。
【０１９６】
６）デュアルビューの場合、何れか一つのビューは、視覚障害者のためのオーディオデスクリプション信号をさらに送信できる。すなわち、第１ビューに対するオーディオ信号ストリーム、第２ビューに対するノーマルオーディオ信号ストリーム、第２ビューに対する視覚障害者のためのオーディオデスクリプション信号ストリームが各々送信されることができる。例えば、ストリーム０は、第１ビューに対するオーディオ信号、ストリーム１は、第２ビューに対するオーディオ信号、ストリーム３は、第２ビューに対するオーディオデスクリプション信号を含むことができる。
【０１９７】
７）一つのストリームは、共通オーディオ信号を送信するのに使用することもできる。すなわち、第１ビューと第２ビューに対する共通オーディオ信号ストリーム、第１ビュー専用オーディオストリーム、第２ビュー専用オーディオストリームがそれぞれ送信されることができる。この場合、受信端では、共通オーディオストリームと専用オーディオストリームをマルチプレックス（Ｍｕｘｉｎｇ）して出力する。このようなシナリオは、ゲームの場合に適用されることができる。例えば、ストリーム０は、第１ビューと第２ビューに対する共通オーディオ信号（例えば、背景音響、進行案内ボイス等）、ストリーム１は、第１ビューに対する専用オーディオ信号、ストリーム２は、第２ビューに対する専用オーディオ信号を含むことができる。
【０１９８】
図５を再度参照すれば、本発明の一実施の形態にかかるデータ送受信システム１０００−１は、データ送信装置１００−１とデータ受信装置２００−１を備える。
【０１９９】
前記データ送信装置１００−１は、第１サブパケット及び第２サブパケット含むパケットをデータ受信装置２００−１に送信する。
【０２００】
前記データ受信装置２００−１は、第１サブパケット及び第２サブパケット含むパケットをデータ送信装置１００−１から受信することができる。
【０２０１】
このとき、第１サブパケット及び第２サブパケットは、第１番目のコンテンツに対して相異なるオーディオデータを含む。
【０２０２】
以下、本発明の一つ以上の実施の形態にかかるデータ送信装置１００−１とデータ受信装置２００−１の構成をさらに詳細に説明する。
【０２０３】
図６を再度参照すれば、本発明の一実施の形態にかかるデータ送信装置１００−１は、パケット生成部１１０と送信部１２０を備える。
【０２０４】
前記パケット生成部１１０は、第１サブパケットと第２サブパケットを含むパケットを生成できる。このとき、第１サブパケットと第２サブパケットは、第１番目のコンテンツに対して互いに異なるオーディオデータを含む。
【０２０５】
前記送信部１２０は、前記生成されたパケットを前記受信装置２００−１に送信する。このとき、第１サブパケットは、非障害者のためのオーディオデータを含むことができ、第２サブパケットは、視覚障害者のためのオーディオデータを含むことができる。
【０２０６】
第１サブパケットと第２サブパケットは、他の言語のオーディオデータを含むことができる。
【０２０７】
第１サブパケットは、第２サブパケットに対してオーディオ説明に該当するオーディオデータを含むことができる。
【０２０８】
前記パケットは、第１番目のコンテンツと異なる第２番目のコンテンツに対してオーディオデータを含む第３サブパケットをさらに含むことができる。
【０２０９】
このとき、第１サブパケットに含まれている前記オーディオデータは、第１番目のコンテンツのための独占オーディオデータでありえ、第３サブパケットに含まれている前記オーディオデータは、第２番目のコンテンツのための独占オーディオデータでありえ、第２サブパケットに含まれている前記オーディオデータは、第１番目のコンテンツ及び第２番目のコンテンツに対して共通（ｃｏｍｍｏｎ）オーディオデータでありうる。
【０２１０】
また、前記パケットは、第２番目のコンテンツに対してオーディオデータを含む第４サブパケットをさらに含むことができ、第３サブパケットと第４サブパケットは、互いに異なるオーディオデータを含むことができる。
【０２１１】
図７を再度参照すれば、本発明の一実施の形態にかかる前記データ受信装置２００−１は、受信部２１０とパーシング部２２０とを備える。
【０２１２】
前記受信部２１０は、第１サブパケットと第２サブパケットを含むパケットを前記データ送信装置１００−１から受信することができる。このとき、第１サブパケットと第２サブパケットは、第１番目のコンテンツに対して異なるオーディオデータを含むことができる。
【０２１３】
前記パーシング部２２０は、前記受信された第１サブパケットと前記受信された第２サブパケットをパーシングするための要素である。
【０２１４】
第１サブパケットと第２サブパケットは、異なる言語のオーディオデータを含むことができる。
【０２１５】
上で上述したことと異なり、第１サブパケットは、第２サブパケットに対してオーディオデスクリプションに対応するオーディオデータを含むことができる。
【０２１６】
前記パケットは、第１番目のコンテンツと異なる第２番目のコンテンツに対してオーディオデータを含む第３サブパケットをさらに含むことができる。
【０２１７】
このとき、前記第１サブパケットに含まれた前記オーディオデータは、第１番目のコンテンツのための独占的オーディオデータでありえ、第３サブパケットに含まれたオーディオデータは、第２番目のコンテンツのための独占的オーディオデータでありえ、第２サブパケットに含まれているオーディオデータは、第１番目及び第２番目のコンテンツに対して共通のオーディオデータでありうる。
【０２１８】
また、前記パケットは、第２番目のコンテンツに対してオーディオデータを含む第４サブパケットを含むことができ、第３サブパケットと第４サブパケットは、異なるオーディオデータを含むことができる。
【０２１９】
オーディオメタデータパケット
本発明の一実施の形態にかかるソース装置は、オーディオメタデータパケットをシンク装置に送信して、送信されるオーディオスペックを知らせる。このとき、オーディオメタデータパケットのヘッダは、下記のような構造を有する。
【表４６】
0006514648.tif 000048
【０２２０】
各フィールドを説明すれば、次の通りである。
【０２２１】
３Ｄオーディオフィールド（３Ｄ＿ＡＵＤＩＯ）［１ｂｉｔ］：３Ｄ＿ＡＵＤＩＯ＝１であると、オーディオメタデータパケット（Ａｕｄｉｏ  Ｍｅｔａｄａｔａ  Ｐａｃｋｅｔ）は、３Ｄオーディオチャネルカウント（３Ｄ  Ａｕｄｉｏ  Ｃｈａｎｎｅｌ  ｃｏｕｎｔ：３Ｄ＿ＣＣフィールド。下記の表を参照）とチャネル／スピーカー割り当て情報（ＡＣＡＳＴ：Ａｕｄｉｏ  Ｃｈａｎｎｅｌ  Ａｌｌｏｃａｔｉｏｎ  Ｓｔａｎｄａｒｄ  Ｔｙｐｅ）フィールド（下記の表を参照）を含む。ソースが３Ｄオーディオパケットを送信するとき、このようなフィールドは、１に設定される。
【０２２２】
ビュー個数フィールド（ＮＵＭ＿ＶＩＥＷＳ）［２ｂｉｔｓ］は、ビューの個数を表す。ＮＵＭ＿ＶＩＥＷＳ＝００であると、シングルビュービデオストリーミングが支援される。ＮＵＭ＿ＶＩＥＷＳ＝０１であると、デュアルビュービデオストリーミングが支援される。このモードは、ＶＳＩＦでの３Ｄ＿ＤｕａｌＶｉｅｗ＝１の場合のみに許容される。残りのＮＵＭ＿ＶＩＥＷＳ値に対しては、未来の使用のためにリザーブされている。
【０２２３】
オーディオストリーム個数フィールド（ＮＵＭ＿ＡＵＤＩＯ＿ＳＴＲ）［２ｂｉｔｓ］：オーディオストリームの個数−１を表す。ＮＵＭ＿ＡＵＤＩＯ＿ＳＴＲ＝０１、１０、または１１の場合、オーディオメタデータパケット（Ａｕｄｉｏ  Ｍｅｔａｄａｔａ  Ｐａｃｋｅｔ）は、最大４個までオーディオメタデータデスクリプタ（ａｕｄｉｏ  ｍｅｔａｄａｔａ  ｄｅｓｃｒｉｐｔｏｒ）を含み、各々は、オーディオストリームに対応する。
【表４７】
0006514648.tif 000049
【０２２４】
下記の表は、３Ｄオーディオのためのオーディオメタデータパケットのペイロードを表す。３Ｄ＿Ａｕｄｉｏ＝１の場合、メタデータパケットペイロードは、以下の構造を有する。
【表４８】
0006514648.tif 000050
【０２２５】
すなわち、３Ｄ＿ＣＣフィールドは、３Ｄオーディオチャネルカウント情報を表し、ＡＣＡＳＴフィールドは、ソースにより提供されるオーディオチャネル割り当て標準タイプ（ＡＣＡＳＴ）を表す。
【０２２６】
表４９は、３Ｄ＿ＣＣ値に応じるオーディオチャネルを示しており、表５２は、ＡＣＡＳＴフィールド値に応じるオーディオチャネル割り当て標準タイプを示す。
【表４９】
0006514648.tif 000051
【表５０】
0006514648.tif 000052
【０２２７】
下記の表は、マルチストリームオーディオのためのオーディオメタデータパケットのペイロードを示す。３Ｄ＿Ａｕｄｉｏ＝０の場合、メタデータパケットペイロードは、下記の構造を有する。
【表５１】
0006514648.tif 000053
【０２２８】
前記表５１に示すように、オーディオメタデータパケットのペイロードは、それぞれ５バイトのオーディオメタデータデスクリプタ（Ａｕｄｉｏ＿Ｍｅｔａｄａｔａ＿Ｄｅｓｃｒｉｐｔｏｒ）を含む。オーディオメタデータデスクリプタ（４フィールド、各５バイト）は、マルチストリームオーディオサンプルパケット（Ｍｕｌｔｉ−ｓｔｒｅａｍ  Ａｕｄｉｏ  Ｓａｍｐｌｅ  Ｐａｃｋｅｔ）においてサブパケットＸに対したオーディオメタデータまたはマルチストリームワンビットオーディオサンプルパケット（Ｍｕｌｔｉ−ｓｔｒｅａｍ  Ｏｎｅ  Ｂｉｔ  Ａｕｄｉｏ  Ｓａｍｐｌｅ  Ｐａｃｋｅｔ）においてサブパケットＸに対したオーディオメタデータを表現する。本発明の一実施の形態にかかるオーディオメタデータデスクリプタの構造は、下記で説明される。
【表５２】
0006514648.tif 000054
【０２２９】
各フィールドを説明すれば、以下のとおりである。
【０２３０】
緊急チャネルフィールド（Ｅｍｅｒｇｅｎｃｙ＿Ｃｈａｎｎｅｌ）［１ｂｉｔ］：Ｅｍｅｒｇｅｎｃｙ＿Ｃｈａｎｎｅｌ＝１であると、対応するオーディオストリームは、緊急警告オーディオデータを送信する。受信装置は、スクリプトなどを介して緊急放送があることを知らせることができ、ユーザは、オーディオ選択を介して受信した緊急警告オーディオ信号を出力させることができる。
【０２３１】
マルチビューフィールド（左側）（Ｍｕｌｔｉｖｉｅｗ＿Ｌｅｆｔ）［１ｂｉｔ］：Ｍｕｌｔｉｖｉｅｗ＿Ｌｅｆｔ＝１であると、対応するオーディオストリームが３Ｄビデオフォーマットにおいて左側立体映像にマッピングされる。万が一、Ｍｕｌｔｉｖｉｅｗ＿Ｌｅｆｔ＝０であると、このフィールドは、ＮＵＭ＿ＶＩＥＷＳ＝０１の場合のみに有効である。
【０２３２】
マルチビューフィールド（右側）（Ｍｕｌｔｉｖｉｅｗ＿Ｒｉｇｈｔ［１ｂｉｔ］：Ｍｕｌｔｉｖｉｅｗ＿Ｒｉｇｈｔ＝１であると、対応するオーディオストリームが３Ｄビデオフォーマットにおいて右側の立体映像にマッピングされる。万が一、Ｍｕｌｔｉｖｉｅｗ＿Ｒｉｇｈｔ＝０であると、このフィールドは、ＮＵＭ＿ＶＩＥＷＳ＝０１の場合のみに有効である。
【０２３３】
言語コード有効フィールド（ＬＣ＿Ｖａｌｉｄ）［１ｂｉｔ］：ＬＣ＿Ｖａｌｉｄ＝１であると、言語コード（Ｌａｎｇｕａｇｅ＿Ｃｏｄｅ）が有効で、対応するオーディオストリームの言語を正確に識別する。それとも、対応するオーディオストリームの言語は、明示されないことになる。
【０２３４】
補助オーディオ有効フィールド（Ｓｕｐｐｌ＿Ａ＿Ｖａｌｉｄ）［１ｂｉｔ］：Ｓｕｐｐｌ＿Ａ＿Ｖａｌｉｄ＝１であると、対応するオーディオストリームは、Ｓｕｐｐｌ＿Ａ＿Ｔｙｐｅにより現れた補助オーディオトラック（ｓｕｐｐｌｅｍｅｎｔａｌ  ａｕｄｉｏ  ｔｒａｃｋ）を含む。
【０２３５】
プレミックス補助オーディオフィールド（Ｓｕｐｐｌ＿Ａ＿Ｍｉｘｅｄ［１ｂｉｔ］：Ｓｕｐｐｌ＿Ａ＿Ｍｉｘｅｄ＝１であると、対応するオーディオストリームは、メインオーディオコンポーネントとＳｕｐｐｌ＿Ａ＿Ｔｙｐｅにより現れたプレミックス補助オーディオトラック（ｐｒｅ−ｍｉｘｅｄ  ｓｕｐｐｌｅｍｅｎｔａｌ  ａｕｄｉｏ  ｔｒａｃｋ）を含むことができる。このビットは、Ｓｕｐｐｌ＿Ａ＿Ｖａｌｉｄ＝１の場合のみに有効である。
【０２３６】
補助オーディオタイプフィールド（Ｓｕｐｐｌ＿Ａ＿Ｔｙｐｅ）［３ｂｉｔｓ］は、下記の表５５で定義された補助オーディオタイプを表す。このフィールドは、Ｓｕｐｐｌ＿Ａ＿Ｖａｌｉｄ＝１の場合のみに有効である。表５３は、補助オーディオタイプフィールド値のデスクリプションを示す。
【０２３７】
言語コード（Ｌａｎｇｕａｇｅ＿Ｃｏｄｅ）［３Ｂｙｔｅｓ］は、対応するオーディオストリームの言語を識別する。言語コードは、ＩＳＯ６３９によって定義される。また、３キャラクターコードが位置し、最後のキャラクターコードは、オーディオメタデータデスクリプタＸ（Ａｕｄｉｏ＿Ｍｅｔａｄａｔａ＿Ｄｅｓｃｒｉｐｔｏｒ＿Ｘ）の最後のバイトと一致する。このフィールドは、ＬＣ＿Ｖａｌｉｄ＝１の場合のみに有効である。
【表５３】
0006514648.tif 000055
【０２３８】
図９を再度参照すれば、本発明の他の実施の形態にかかるデータ送受信システム１０００−２は、データ送信装置１００−２とデータ受信装置２００−２とを備える。
【０２３９】
前記データ送信装置１００−２は、オーディオメタデータパケットを生成してデータ受信装置２００−２に送信する。
【０２４０】
前記データ受信装置２００−２は、データ送信装置１００−２からオーディオメタデータパケットを受信する。
【０２４１】
このとき、オーディオメタデータパケットのヘッダは、３Ｄオーディオサンプルパケットが送信されたどうかを表す３Ｄオーディオフィールドを含む。
【０２４２】
以下、前記データ送信装置１００−２と前記データ受信装置２００−２の構成、及びオーディオメタデータパケットの構成をさらに詳細に説明する。
【０２４３】
図１０を再度参照すれば、本発明の他の実施の形態にかかるデータ送信装置１００−２は、パケット生成部１１０及び送信部１２０を備える。
【０２４４】
前記パケット生成部１１０は、オーディオメタデータパケットを生成する。前記生成されたオーディオメタデータパケットのヘッダは、３Ｄオーディオサンプルパケットの送信有無を表す３Ｄオーディオフィールドを含むことができる。
【０２４５】
前記送信部１２０は、前記生成されたオーディオメタデータパケットをデータ受信装置２００−２に送信する。
【０２４６】
また、前記生成されたオーディオメタデータパケットのヘッダは、オーディオストリーム個数情報（ｎｕｍｂｅｒ  ｉｎｆｏｒｍａｔｉｏｎ）を表すオーディオストリーム個数フィールド（Ｎｕｍｂｅｒ  Ｏｆ  Ａｕｄｉｏ  Ｓｔｒｅａｍ  Ｆｉｅｌｄ）をさらに含むことができる。
【０２４７】
また、前記生成されたオーディオメタデータパケットのヘッダは、送信される相異なるコンテンツの個数情報を表すビュー個数フィールド（Ｎｕｍｂｅｒ  Ｏｆ  Ｖｉｅｗｓ  Ｆｉｅｌｄ）をさらに含むことができる。
【０２４８】
前記生成されたオーディオメタデータパケットのペイロードは、マルチストリームオーディオサンプルパケットまたはマルチストリームワンビットオーディオサンプルパケットに関してメタデータを表すオーディオメタデータデスクリプタフィールドを含むことができる。
【０２４９】
また、前記オーディオメタデータデスクリプタフィールドは、緊急放送があるかどうかを表す緊急チャネルフィールド、マルチビューにおいて左眼のイメージまたは右眼のイメージに対応するオーディオデータが含まれているかどうかを表すマルチビューフィールド、オーディオデータの言語が識別されているかどうかを表す言語コード有効フィールド、補助オーディオデータの有無を表す補助言語有効フィールド、メインオーディオデータと前記補助オーディオデータとのプレミックス有無を表すプレミックス補助オーディオフィールド、補助オーディオデータのタイプを表す補助オーディオタイプフィールド、及びオーディオデータの言語コードを表す言語コードフィールドのうち、少なくとも一つを含むことができる。
【０２５０】
図１１を再度参照すれば、本発明の他の実施の形態にかかるデータ受信装置２００−２は、受信部２１０及びとパーシング部２２０を備える。
【０２５１】
前記受信部２１０は、データ送信装置９１００−２からオーディオメタデータパケットを受信するための要素である。前記オーディオメタデータパケットのヘッダは、３Ｄオーディオサンプルパケットが送信されたかどうかを表す３Ｄオーディオフィールドを含む。
【０２５２】
前記パーシング部２２０は、受信されるオーディオメタデータパケットをパーシングするための要素である。
【０２５３】
また、前記オーディオメタデータパケットのヘッダは、受信されるオーディオストリームの個数情報を表すオーディオストリーム個数フィールド（Ｎｕｍｂｅｒ  ｏｆ  Ａｕｄｉｏ  Ｓｔｒｅａｍ  Ｆｉｅｌｄ）をさらに含むことができる。
【０２５４】
前記オーディオメタデータパケットのヘッダは、受信される他のコンテンツの個数情報を表すビュー個数フィールド（Ｎｕｍｂｅｒ  ｏｆ  Ｖｉｅｗｓ  Ｆｉｅｌｄ）をさらに含むことができる。
【０２５５】
前記オーディオメタデータパケットのペイロードは、マルチストリームオーディオパケットまたはマルチストリームワンビットオーディオサンプルパケットのサブパケットに関するメタデータを表すオーディオメタデータデスクリプタフィールドを含むことができる。
【０２５６】
このとき、オーディオメタデータデスクリプタフィールドは、緊急放送の有無を表す緊急チャネルフィールド、マルチビューに左眼のイメージまたは右眼のイメージに対応するオーディオデータが含まれているかどうかを表すマルチビューフィールド、オーディオデータの言語が識別されているかどうかを表す言語コード有効フィールド、補助オーディオデータの有無を表す補助言語有効フィールド、メインオーディオデータと補助オーディオデータとがプレミックスされているかどうかを表すプレミックス補助オーディオフィールド、補助オーディオデータタイプを表す補助オーディオタイプフィールド、及びオーディオデータの言語コードを表す言語コードフィールドのうち、少なくとも一つを含むことができる。
【０２５７】
オーディオデータブロック
下記の表５４は、本発明の一実施の形態にかかるＥＤＩＤ（Ｅｘｔｅｎｄｅｄ  Ｄｉｓｐｌａｙ  Ｉｄｅｎｔｉｆｉｃａｔｉｏｎ  Ｄａｔａ）のオーディオデータブロックを示す。表５４において３−４バイトに関する部分は、下記の表５７で再定義する。
【０２５８】
また、マルチストリームオーディオのための新しい短縮オーディオデスクリプタ（Ｓｈｏｒｔ  Ａｕｄｉｏ  Ｄｅｓｃｒｉｐｔｏｒ：ＳＡＤ）は削除され、その代りにＥＤＩＤで定義されたノーマル（ｎｏｒｍａｌ）ＳＡＤが使用される。追加された内容によれば、２個のチャネルまで送信されることができる。
【表５４】
0006514648.tif 000056
【０２５９】
下記の表は、前記オーディオデータブロックの３−４バイトを取り替えるブロック構成を示す。
【表５５】
0006514648.tif 000057
【０２６０】
各フィールドを説明すれば、次の通りである。
【０２６１】
緊急チャネルフィールド（Ｓｕｐｐｏｒｔｓ＿ＭＳ＿Ｅｍｅｒｇｅｎｃｙ［１ｂｉｔ］：Ｓｕｐｐｏｒｔｓ＿ＭＳ＿Ｅｍｅｒｇｅｎｃｙ＝１であると、シンク装置は、緊急警告オーディオチャネルを受信し、処理することを支援する。Ｓｕｐｐｏｒｔｓ＿ＭＳ＿Ｅｍｅｒｇｅｎｃｙ＝０であると、シンク装置は、このような特徴を支援しない。
【０２６２】
オーディオミックスフィールド（Ｓｕｐｐｏｒｔｓ＿ＭＳ＿Ｍｉｘ）［１ｂｉｔ］：Ｓｕｐｐｏｒｔｓ＿ＭＳ＿Ｍｉｘ＝１であると、シンク装置は、メインオーディオと補助オーディオ（ｓｕｐｐｌｅｍｅｎｔａｒｙ  ａｕｄｉｏ）とを合成することを支援する。Ｓｕｐｐｏｒｔｓ＿ＭＳ＿Ｍｉｘ＝０であるとシンク装置は、このような合成を支援しなくて、ミックスされたオーディオを再生することだけを支援する。
【０２６３】
補助オーディオ支援フィールド（Ｓｕｐｐｏｒｔｓ＿ＭＳ＿Ｓｕｐｐｌｅ）［１ｂｉｔ］：Ｓｕｐｐｏｒｔｓ＿ＭＳ＿Ｓｕｐｐｌｅ＝１であると、シンク装置は、視覚／聴覚障害者のための補助オーディオトラックを有するマルチストリームオーディオを支援する。Ｓｕｐｐｏｒｔｓ＿ＭＳ＿Ｓｕｐｐｌｅ＝０であると、何も表さないか、またはシンク装置が視覚／聴覚障害者のための補助オーディオトラックを支援しないことを表す。
【０２６４】
言語支援フィールド（Ｓｕｐｐｏｒｔｓ＿ＭＳ＿Ｌａｎｇ）［１ｂｉｔ］：Ｓｕｐｐｏｒｔｓ＿ＭＳ＿Ｌａｎｇ＝１であると、シンク装置は、多数の言語オーディオストリームを有するマルチストリームオーディオを支援する。Ｓｕｐｐｏｒｔｓ＿ＭＳ＿Ｌａｎｇ＝０であると、何も表さないか、またはシンク装置が多数の言語オーディオストリームを支援しないことを表す。
【０２６５】
マルチビューオーディオ支援フィールド（Ｓｕｐｐｏｒｔｓ＿ＭＳ＿ＭｕｌｔｉＶｉｅｗ）［１ｂｉｔ］：Ｓｕｐｐｏｒｔｓ＿ＭＳ＿ＭｕｌｔｉＶｉｅｗ＝１であると、シンク装置は、マルチビュービデオストリーミングのためのマルチストリームオーディオを支援する。Ｓｕｐｐｏｒｔｓ＿ＭＳ＿ＭｕｌｔｉＶｉｅｗ＝０であると、何も表さないか、またはシンク装置がマルチビュービデオストリーミングのためのマルチストリームオーディオを支援しないことを表す。
【０２６６】
最大ストリームカウントフィールド（Ｍａｘ＿Ｓｔｒｅａｍ＿Ｃｏｕｎｔ−１［２ｂｉｔｓ］：シンク装置がハンドリングできる最大オーディオストリームの個数を表す。Ｍａｘ＿Ｓｔｒｅａｍ＿Ｃｏｕｎｔ−１値が下記の表に示される。
【０２６７】
オーディオデスクリプタ個数フィールド（ＮＵＭ＿ＨＤＭＩ＿３Ｄ＿ＡＤ）［３ｂｉｔｓ］：３Ｄオーディオスクリプターの個数を表す。
【表５６】
0006514648.tif 000058
【０２６８】
図１２を再度参照すれば、本発明の他の実施の形態にかかるデータ送受信システム１０００−３は、データ送信装置１００−３及びデータ受信装置２００−３を備える。
【０２６９】
前記データ送信装置１００−３は、オーディオデータに対してシンク装置により支援される特定情報を含むディスプレイ識別情報を生成してデータ受信装置２００−３に送信する。
【０２７０】
前記データ受信装置２００−３は、データ送信装置１００−３からディスプレイ識別情報を受信して分析する。このとき、ディスプレイ識別情報は、シンク装置により支援されるメインオーディオ及び補助オーディオの特徴情報を表すメイン／補助オーディオプロパティ（ａｕｄｉｏ  ｐｒｏｐｅｒｔｉｅｓ）フィールドを含む。
【０２７１】
以下、前記データ送信装置１００−３と前記データ受信装置２００−３は、さらに具体的に説明される。
【０２７２】
図１３を再度参照すれば、本発明のさらに他の実施の形態にかかるデータ送信装置１００−３は、生成部１３０及び送信部１２０を備える。
【０２７３】
前記生成部１３０は、オーディオデータに対してシンク装置により支援される特徴情報を含むディスプレイ識別情報を生成するための要素である。
【０２７４】
前記送信部１２０は、前記ディスプレイ識別情報をデータ受信装置２００−３に送信する。
【０２７５】
このとき、前記ディスプレイ識別情報は、シンク装置により支援されるメインオーディオ及び補助オーディオの特徴情報を表すメイン／補助オーディオプロパティ（ａｕｄｉｏ  ｐｒｏｐｅｒｔｉｅｓ）フィールドを含む。
【０２７６】
このとき、前記メイン／オーディオプロパティフィールドは、前記シンク装置がメインオーディオと補助オーディオの構成を支援するかどうかを表すオーディオミックスフィールド、前記シンク装置の補助オーディオ支援有無を表す補助オーディオ支援フィールド、前記シンク装置の複数の言語からなるオーディオデータ支援有無を表す言語支援フィールド、前記シンク装置がマルチビューコンテンツのためのマルチストリームオーディオデータを支援しているかどうかを表すマルチビューオーディオ支援フィールド、シンク装置によりハンドリングされる最大オーディオストリームの個数を表す最大ストリームカウントフィールド、及び３Ｄオーディオデスクリプタの個数を表すオーディオデスクリプタ個数フィールドのうち、少なくとも一つを含む。
【０２７７】
前記ディスプレイ識別情報は、前記シンク装置が緊急放送の受信及び処理を支援しているかどうかを表す緊急チャネルフィールドをさらに含むことができる。
【０２７８】
図１４に示すように、本発明のさらに他の実施の形態にかかるデータ送信装置１００−３は、受信部２１０及び分析部２３０を備える。
【０２７９】
前記受信部２１０は、前記データ送信装置１００−３からオーディオデータに対してシンク装置により支援される特徴情報を含むディスプレイ識別情報を受信するための要素である。
【０２８０】
前記分析部２３０は、受信されるディスプレイ識別情報を分析する。
【０２８１】
このとき、前記ディスプレイ識別情報は、前記シンク装置により支援されるメインオーディオ及び補助オーディオの特徴情報を表すメイン／補助オーディオプロパティフィールドを含む。
【０２８２】
このとき、前記メイン／オーディオプロパティフィールドは、前記シンク装置がメインオーディオと補助オーディオとの構成を支援するかどうかを表すオーディオミックスフィールド、前記シンク装置が補助オーディオを支援するかどうかを表す補助オーディオ支援フィールド、前記シンク装置の複数の言語からなるオーディオデータを支援するかどうかを表す言語支援フィールド（Ｌａｎｇｕａｇｅ  Ｓｕｐｐｏｒｔ  Ｆｉｅｌｄ）、前記シンク装置がマルチビューコンテンツのためのマルチストリームオーディオデータを支援するかどうかを表すマルチビューオーディオ支援フィールド、シンク装置によりハンドリングされる最大オーディオストリームの個数を表す最大ストリームカウントフィールド、及び３Ｄオーディオデスクリプタの個数を表すオーディオデスクリプタ個数フィールドのうち、少なくとも一つを含む。
【０２８３】
前記ディスプレイ識別情報は、前記シンク装置の緊急放送受信及び処理を支援するかどうかを表す緊急チャネルフィールドをさらに含むことができる。
【０２８４】
一方、本発明の多様な実施の形態にかかる有線インタフェースは、クアッドビューコンテンツ送信を支援できる。クアッドビュー送信のためにＨＤＭＩ有線インタフェース規格の３Ｄビデオフォーマット規格を活用できる。
【０２８５】
図１８Ａないし図１８Ｃは、本発明の一つ以上の実施の形態にかかるクアッドビュービデオコンテンツを３Ｄインターレースフォーマットで送信する場合、多様なデータ送信フォーマットを示す図である。
【０２８６】
この場合、ベンダー特定インフォフレーム（Ｖｅｎｄｏｒ−Ｓｐｅｃｉｆｉｃ  Ｉｎｆｏｆｒａｍｅ）とベンダー特定データブロック（Ｖｅｎｄｏｒ−ｓｐｅｃｉｆｉｃ  Ｄａｔａ  Ｂｌｏｃｋ）を修正できる。具体的に従来の３Ｄデュアルビューを定義するフィールドをリザーブ領域まで拡張する。
【表５７】
0006514648.tif 000059
【表５８】
0006514648.tif 000060
【表５９】
0006514648.tif 000061
【０２８７】
以下、本発明の多様な実施の形態にかかるデータ送信方法及び受信方法を説明する。
【０２８８】
図１９は、本発明の一実施の形態にかかるデータ送信方法のフローチャートであり、図２０は、本発明の一実施の形態にかかるデータ受信方法のフローチャートである。
【０２８９】
図１９に示すように、本発明の一実施の形態にかかるデータ送信方法は、オーディオメタデータパケットを生成するステップ（オペレイションＳ１７１０）と、前記生成されたオーディオメタデータパケットをデータ受信装置に送信するステップ（オペレイションＳ１７２０）とを含む。このとき、前記生成されたオーディオメタデータパケットのヘッダ（ｈｅａｄｅｒ）は、前記オーディオメタデータパケットが表すオーディオデータと関連した画面分離情報フィールド（Ｓｐｌｉｔ  Ｓｃｒｅｅｎ  Ｉｎｆｏｒｍａｔｉｏｎ  Ｆｉｅｌｄ）を含む。
【０２９０】
また、前記画面分離情報フィールドは、画面分離支援有無を表す画面分離有効フィールド（Ｓｐｌｉｔ  Ｓｃｒｅｅｎ  Ｖａｌｉｄ  Ｆｉｅｌｄ）及び送信されるオーディオデータと関連した分離画面種類を表す分離画面種類フィールド（Ｓｐｌｉｔ  Ｓｃｒｅｅｎ  Ｔｙｐｅ  Ｆｉｅｌｄ）のうち、少なくとも一つを含むことができる。
【０２９１】
また、前記分離画面種類フィールドは、ディスプレイ画面を水平方向に分離する第１分離モード、前記ディスプレイ画面を垂直方向に分離する第２分離モード、前記ディスプレイ画面内にＰＩＰ画面をディスプレイする第３分離モード、及び前記ディスプレイ画面を三個以上に分離する第４分離モードのうちの何れか一つを含むことができる。
【０２９２】
前記生成されたオーディオメタデータパケットのヘッダ（ｈｅａｄｅｒ）は、送信されるコンテンツがマルチビューコンテンツなのかシングルビューコンテンツなのかを表すビュー種類フィールド（Ｖｉｅｗ  Ｔｙｐｅ  Ｆｉｅｌｄ）、前記オーディオメタデータパケットのシーケンス番号を表すシーケンス番号フィールド（Ｓｅｑｕｅｎｃｅ  Ｎｕｍｂｅｒ  Ｆｉｅｌｄ）、及び送信されるオーディオストリームの個数情報を表すオーディオストリーム個数フィールド（Ｎｕｍｂｅｒ  Ｏｆ  Ａｕｄｉｏ  Ｓｔｒｅａｍ  Ｆｉｅｌｄ）のうち、少なくとも一つを含むことができる。
【０２９３】
前記生成されたオーディオメタデータパケットのペイロード（ｐａｙｌｏａｄ）は、マルチオーディオサンプルパケット（Ｍｕｌｔｉ  Ａｕｄｉｏ  Ｓａｍｐｌｅ  Ｐａｃｋｅｔ）のサブパケットに対するメタデータを表すマルチオーディオデスクリプタフィールド（Ｍｕｌｔｉ  Ａｕｄｉｏ Ｄｅｓｃｒｉｐｔｏｒ  Ｆｉｅｌｄ）を含むことができる。
【０２９４】
前記マルチオーディオデスクリプタは、前記生成されたオーディオメタデータパケットが表すオーディオデータに対応する分離された画面情報を表す画面分離タグフィールド（Ｓｐｌｉｔ  Ｓｃｒｅｅｎ  Ｔａｇ  Ｆｉｅｌｄ）、前記生成されたオーディオメタデータパケットが表すオーディオデータに対応するビューを表す関連ビュー識別フィールド（Ａｓｓｏｃｉａｔｅｄ  Ｖｉｅｗ  ＩＤ  Ｆｉｅｌｄ）、前記マルチオーディオデスクリプタフィールドが有効な言語コードを含むかどうかを表す有効言語コードフィールド（Ｖａｌｉｄ  Ｌａｎｇｕａｇｅ  Ｃｏｄｅ  Ｆｉｅｌｄ）、メインオーディオデータと補助オーディオデータとのプレミックス有無を表すミックスオーディオフィールド（ｍｉｘｅｄ  Ａｕｄｉｏ  Ｆｉｅｌｄ）、前記マルチオーディオデスクリプタフィールドが有効な補助オーディオデータの種類に対する情報を含むかどうかを表すＳＡＴプレゼントフィールド（ＳＡＴ  Ｐｒｅｓｅｎｔ  Ｆｉｅｌｄ）、前記生成されたオーディオメタデータパケットが表すオーディオデータのための補助オーディオデータ種類を表す補助オーディオ種類フィールド（Ｓｕｐｐｌｅｍｅｎｔａｌ  Ａｕｄｉｏ  Ｔｙｐｅ  Ｆｉｅｌｄ）、前記生成されたオーディオメタデータパケットが表すオーディオデータのＩＳＯ６３９で定義された言語コードを表す言語コードフィールド（Ｌａｎｇｕａｇｅ  Ｃｏｄｅ  Ｆｉｅｌｄ）のうち、少なくとも一つを含むことができる。
【０２９５】
図２０に示すように、本発明の一実施の形態にかかるデータ受信方法は、データ送信装置からオーディオメタデータパケットを受信するステップ（オペレイションＳ１８１０）、前記受信されたオーディオメタデータパケットをパーシングするステップ（オペレイションＳ１８２０）を含む。このとき、前記受信されたオーディオメタデータパケットのヘッダ（ｈｅａｄｅｒ）は、前記オーディオメタデータパケットが表すオーディオデータと関連した画面分離情報フィールド（Ｓｐｌｉｔ  ＳｃｒｅｅｎＩｎｆｏｒｍａｔｉｏｎ  Ｆｉｅｌｄ）を含む。
【０２９６】
また、前記画面分離情報フィールドは、画面分離支援有無を表す画面分離有効フィールド（Ｓｐｌｉｔ  Ｓｃｒｅｅｎ  Ｖａｌｉｄ  Ｆｉｅｌｄ）及び送信されるオーディオデータと関連した分離画面種類を表す分離画面種類フィールド（Ｓｐｌｉｔ  Ｓｃｒｅｅｎ  Ｔｙｐｅ  Ｆｉｅｌｄ）のうち、少なくとも一つを含むことができる。
【０２９７】
前記分離画面種類フィールドは、ディスプレイ画面を水平方向に分離する第１分離モード、前記ディスプレイ画面を垂直方向に分離する第２分離モード、前記ディスプレイ画面内にＰＩＰ画面をディスプレイする第３分離モード、及び前記ディスプレイ画面を三個以上に分離する第４分離モードのうちの何れか一つを表すことができる。
【０２９８】
前記生成されたオーディオメタデータパケットのヘッダ（ｈｅａｄｅｒ）は、送信されるコンテンツがマルチビューコンテンツなのかシングルビューコンテンツなのかを表すビュー種類フィールド（Ｖｉｅｗ  Ｔｙｐｅ  Ｆｉｅｌｄ）、前記オーディオメタデータパケットのシーケンス番号を表すシーケンス番号フィールド（Ｓｅｑｕｅｎｃｅ  Ｎｕｍｂｅｒ  Ｆｉｅｌｄ）、及び送信されるオーディオストリームの個数情報を表すオーディオストリーム個数フィールド（Ｎｕｍｂｅｒ  Ｏｆ  Ａｕｄｉｏ  Ｓｔｒｅａｍ  Ｆｉｅｌｄ）のうち、少なくとも一つをさらに含むことができる。
【０２９９】
前記生成されたオーディオメタデータパケットのペイロード（ｐａｙｌｏａｄ）は、マルチオーディオサンプルパケット（Ｍｕｌｔｉ  Ａｕｄｉｏ  Ｓａｍｐｌｅ  Ｐａｃｋｅｔ）のサブパケットに対するメタデータを表すマルチオーディオデスクリプタフィールド（Ｍｕｌｔｉ  Ａｕｄｉｏ  Ｄｅｓｃｒｉｐｔｏｒ  Ｆｉｅｌｄ）を含むことができる。
【０３００】
図２１は、本発明の他の実施の形態にかかるデータ送信方法のフローチャートであり、図２２は、本発明の他の実施の形態にかかるデータ受信方法のフローチャートである。
【０３０１】
図２１に示すように、本発明の他の実施の形態にかかるデータ送信方法は、マルチオーディオストリームに対する複数のサブパケットを含むパケットを生成するステップ（オペレイションＳ１９１０）と前記生成されたパケットをデータ受信装置に送信するステップ（オペレイションＳ１９２０）とを含む。このとき、前記生成されたパケットのヘッダは、全体パケットのうち、前記生成されたパケットの順序を識別するためのシーケンス番号フィールド（Ｓｅｑｕｅｎｃｅ  Ｎｕｍｂｅｒ  Ｆｉｅｌｄ）を含む。
【０３０２】
図２２に示すように、本発明の他の実施の形態にかかるデータ受信方法は、マルチオーディオストリームに対する複数のサブパケットを含むパケットを受信するステップ（オペレイションＳ２０１０）と、前記受信されたパケットをパーシングするステップ（オペレイションＳ２０２０）とを含む。このとき、前記受信されたパケットのヘッダは、全体パケットのうち、前記生成されたパケットの順序を識別するためのシーケンス番号フィールド（Ｓｅｑｕｅｎｃｅ  Ｎｕｍｂｅｒ  Ｆｉｅｌｄ）を含む。
【０３０３】
図２３は、本発明のさらに他の実施の形態にかかるデータ送信方法のフローチャートであり、図２４は、本発明のさらに他の実施の形態にかかるデータ受信方法のフローチャートである。
【０３０４】
図２３に示すように、本発明のさらに他の実施の形態にかかるデータ送信方法は、オーディオデータに関してシンク装置により支援される特徴情報を含むデバイス性能情報ブロック（Ｄｅｖｉｃｅ  Ｃａｐａｂｉｌｉｔｙ  Ｉｎｆｏｒｍａｔｉｏｎ  Ｂｌｏｃｋ）を生成するステップ（オペレイションＳ２１１０）と、データ受信装置に前記デバイス性能情報ブロックを送信するステップ（オペレイションＳ２１２０）を含む。このとき、前記デバイス性能情報ブロックは、前記シンク装置が画面分離と関連したマルチオーディオ受信及び処理を支援するかどうかを表す画面分離オーディオフィールド（Ｓｐｌｉｔ  Ｓｃｒｅｅｎ  Ａｕｄｉｏ  Ｆｉｅｌｄ）を含む。
【０３０５】
図２４に示すように、本発明のさらに他の実施の形態にかかるデータ受信方法は、オーディオデータに関してシンク装置により支援される特徴情報を含むデバイス性能情報ブロック（Ｄｅｖｉｃｅ  Ｃａｐａｂｉｌｉｔｙ  Ｉｎｆｏｒｍａｔｉｏｎ  Ｂｌｏｃｋ）を受信するステップ（オペレイションＳ２２１０）と、前記受信されたデバイス性能情報ブロックを分析するステップ（オペレイションＳ２２２０）とを含む。このとき、前記デバイス性能情報ブロックは、前記シンク装置が画面分離と関連したマルチオーディオ受信及び処理を支援するかどうかを表す画面分離オーディオフィールド（Ｓｐｌｉｔ  Ｓｃｒｅｅｎ  Ａｕｄｉｏ  Ｆｉｅｌｄ）を含む。
【０３０６】
これに限定されるものではないが、本発明の一実施の形態は、コンピュータで読み取り可能な記録媒体にコンピュータで読み取り可能なコードとして具現化することが可能である。コンピュータで読み取り可能な記録媒体は、コンピュータシステムによりその後に読み取りできる任意のデータ格納装置（ｓｔｏｒａｇｅ  ｄｅｖｉｃｅ）である。コンピュータで読み取り可能媒体の例は、読み取り専用記憶装置（ＲＯＭ）、任意抽出記憶装置（ＲＡＭ）、ＣＤ−ＲＯＭ、マグネチックテープ、フロッピー（登録商標）ディスク、及び光学データ格納装置を備える。コンピュータで読み取り可能な記録媒体は、またネットワークで接続したコンピュータシステムに分散できるから、コンピュータで読み取り可能なコードが分散された方式で格納され実行される。また、本発明の一実施の形態は、搬送波などのようなコンピュータで読み取り可能な送信媒体を介して送信されるコンピュータプログラムとして書かれる（ｗｒｉｔｔｅｎ）ことができ、プログラムを実行する汎用または特殊目的用ディジタルコンピューターで記録され具現化されることができる。さらに、本発明の実施の形態において、上で説明した装置及びシステムの一つ以上の部（ｕｎｉｔｓ）または要素（ｅｌｅｍｅｎｔｓ）は、回路（ｃｉｒｃｕｉｔｒｙ）、プロセッサ（ｐｒｏｃｅｓｓｏｒ）、マイクロプロセッサーなどを含むことができる。例えば、コンピュータプログラムは、前記で説明した方法に対応する一つ以上のアルゴリズムを含むことができる。
【０３０７】
但し、前述した実施の形態及び長所は、例示に過ぎず、本発明の概念（ｃｏｎｃｅｐｔ）は、上述した特定の実施の形態に限定されない。本教示は、他の種類の装置にも手軽に適用されることができる。また、本発明の概念に対する実施の形態の説明は、例示のためのものであり、請求の範囲に限って制限されずに、多くの代案、修正及び変形は本発明が属する技術分野における通常の知識を有した者にとって明らかであるはずである。
【図１Ａ】
0006514648.tif 000062
【図１Ｂ】
0006514648.tif 000063
【図２Ａ】
0006514648.tif 000064
【図２Ｂ】
0006514648.tif 000065
【図２Ｃ】
0006514648.tif 000066
【図３】
0006514648.tif 000067
【図４】
0006514648.tif 000068
【図５】
0006514648.tif 000069
【図６】
0006514648.tif 000070
【図７】
0006514648.tif 000071
【図８】
0006514648.tif 000072
【図８Ａ】
0006514648.tif 000073
【図８Ｂ】
0006514648.tif 000074
【図８Ｃ】
0006514648.tif 000075
【図９】
0006514648.tif 000076
【図１０】
0006514648.tif 000077
【図１１】
0006514648.tif 000078
【図１２】
0006514648.tif 000079
【図１３】
0006514648.tif 000080
【図１４】
0006514648.tif 000081
【図１５】
0006514648.tif 000082
【図１６】
0006514648.tif 000083
【図１７】
0006514648.tif 000084
【図１８Ａ】
0006514648.tif 000085
【図１８Ｂ】
0006514648.tif 000086
【図１８Ｃ】
0006514648.tif 000087
【図１９】
0006514648.tif 000088
【図２０】
0006514648.tif 000089
【図２１】
0006514648.tif 000090
【図２２】
0006514648.tif 000091
【図２３】
0006514648.tif 000092
【図２４】
0006514648.tif 000093